(57)【特許請求の範囲】
【請求項１】
前面パネルを有するケーシングと、
前記ケーシングの内部に設けられる調理室と、
前記調理室を開閉できるように前記ケーシングに回動可能に配置され、フレームを有するドアと、
前記フレームに設けられる開口部を開閉するように前記フレームに回動可能に設置される個別ドアと、
前記ドアおよび前記個別ドアの回動が選択的に調節されるように、前記ドアおよび前記個別ドアのうちの少なくとも１つに設けられる操作ユニットと、
前記調理室が前記ドアと一体的にまたは前記ドアと別個に前記個別ドアによって開閉されるように、前記操作ユニットに取り外し可能に連結される第１ロックユニットと、該第１ロックユニットに取り外し可能に連結される第２ロックユニットとを含む、ロックユニットとを含むことを特徴とする、
オーブン。
【請求項２】
前記個別ドアは、前記ドアと別個の回転軸を有することを特徴とする、請求項１に記載のオーブン。
【請求項３】
前記個別ドアは、前記開口部の前方に設置され、
前記個別ドアと隣接する前記ドアの側面には、前記ドアと隣接する前記個別ドアの側面の形状と対応するように凹まされた、相補的な装着部が設けられることを特徴とする、
請求項１に記載のオーブン。
【請求項４】
前記ドアおよび前記個別ドアのうちの少なくとも１つの前面に設けられるハンドルをさらに含み、
前記操作ユニットは、前記ハンドルに設けられることを特徴とする、
請求項１に記載のオーブン。
【請求項５】
前記操作ユニットの操作により前記個別ドアが前記ドアと一体にまたは別個に動くように前記ドアおよび前記個別ドアを連結する前記ロックユニットをさらに含み、
前記ロックユニットは、前記調理室に対する前記ドアの開閉の有無を調節できるように前記前面パネルに設けられた締結溝を含むことを特徴とする、
請求項１に記載のオーブン。
【請求項６】
前記ロックユニットは、
前記ドアの内部に設けられる後方ホルダーと、
回転可能に前記後方ホルダーに結合される後方リンクと、
前記後方ホルダーおよび前記後方リンクを貫通して前記後方ホルダーおよび前記後方リンクを連結する後方回転軸とを含み、
前記後方リンクは、前記後方回転軸を中心に上下方向に沿って動くことを特徴とする、
請求項５に記載のオーブン。
【請求項７】
前記後方リンクは、前記締結溝に分離可能に結合されるフックを含むことを特徴とする、請求項６に記載のオーブン。
【請求項８】
前記フックは、前記フックと上下方向に向き合うように前記後方ホルダーから延長される支持部および前記フックの間に設けられる弾性部材の復原力によって前記締結溝に分離可能に結合されることを特徴とする、請求項７に記載のオーブン。
【請求項９】
前記ロックユニットは、
前記個別ドアの内部に設けられた前方ホルダーと、
前記操作ユニットの動きを選択的に前記後方リンクに伝達し、回転可能に前記前方ホルダーに結合される前方リンクと、
前記前方ホルダーおよび前記前方リンクを貫通するように前記前方ホルダーおよび前記前方リンクを連結し、前記後方回転軸と並んで配置される前方回転軸とをさらに含み、
前記前方リンクは、前記前方回転軸を中心に上下方向に沿って動くことを特徴とする、
請求項７に記載のオーブン。
【請求項１０】
前記後方リンクは、前記前方リンクの動きを前記フックに伝達する押圧部をさらに含み、
前記後方ホルダーは、前記前方リンクと向き合うように設けられる結合溝を含むことを特徴とする、
請求項９に記載のオーブン。
【請求項１１】
前記前方リンクは、前記操作ユニットの動きにより前記結合溝に分離可能に結合される係止部を含み、
前記フックは、前記係止部が前記結合溝の内側に位置する前記押圧部を押しながら前記結合溝に結合されると前記締結溝から分離されることを特徴とする、
請求項１０に記載のオーブン。
【請求項１２】
前記前方リンクは、前方に向かって突出される凸部を有するボディーをさらに含み、
前記操作ユニットは、
使用者が加圧できるように設けられた押圧部材と、
前記押圧部材の加圧の有無により前記凸部を選択的に加圧できるように前記押圧部材に回転可能に結合された加圧部材とを含むことを特徴とする、
請求項１１に記載のオーブン。
【請求項１３】
使用者が前記押圧部材を加圧すると、前記加圧部材は、前記押圧部材および前記加圧部材を連結する回転軸を中心に回転して前記凸部を加圧し、前記凸部が加圧されると、前記係止部は、前記結合溝から分離されることを特徴とする、請求項１２に記載のオーブン。
【請求項１４】
前面パネルを有するケーシングと、
前記ケーシングの内部に設けられる調理室と、
該調理室の少なくとも一部を開閉するように設けられる複数のドアであって、前記調理室の一部を開閉するように設けられる第１ドアと、該第１ドアと共に前記調理室の全部を開閉するように前記前面パネルに回動可能に設けられる第２ドアとを含む、複数のドアと、
該複数のドアの回動が選択的に調節されるように、前記複数のドアのうちの少なくとも１つに設けられる操作ユニットと、
前記調理室が前記第２ドアと一体的にまたは前記第２ドアと別個に前記第１ドアによって開閉されるように、前記操作ユニットに取り外し可能に連結される第１ロックユニットと、該第１ロックユニットに取り外し可能に連結される第２ロックユニットとを含む、ロックユニットとを含み、
前記第２ドアは、フレームと、該フレームに設けられ、前記第１ドアによって開閉される、開口部とを含むことを特徴とする、
オーブン。
【請求項１５】
前記第１ドアは、前記フレームに回動可能に設置されることを特徴とする、請求項１４に記載のオーブン。
【請求項１６】
前記複数のドアのうちの少なくとも１つの前面に設けられるハンドルと、
前記調理室の少なくとも一部の開閉を調節するように前記ハンドルに設置される前記操作ユニットとをさらに含むことを特徴とする、
請求項１４に記載のオーブン。
【請求項１７】
前記操作ユニットは、押圧できるように前記ハンドルの後面に設けられる押圧部材を含み、
前記第１ドアは、前記押圧部材を押圧した状態で前記ハンドルを前記ケーシングの前方に向かって引っ張ると回動するように構成され、前記第1ドアと前記第２ドアは、前記押圧部材を押圧していない状態で前記ハンドルを前記ケーシングの前方に向かって引っ張ると一体に回動するように構成されることを特徴とする、
請求項１６に記載のオーブン。
【請求項１８】
開放された前面を有するケーシングと、
該ケーシングの内部に設けられる調理室と、
該調理室の少なくとも一部を開閉するように前記ケーシングの前方に回動可能に設けられる複数のドアであって、
前記調理室の一部を開閉するように設けられる第１ドアと、
該第１ドアと共に前記調理室の全部を開閉し、前記第１ドアの回転軸に平行な別個の回転軸を中心に回動するように構成される第２ドアとを含む、
複数のドアと、
前記第１ドアが、前記第２ドアの開閉から独立的に調節されるか、あるいは前記第２ドアの開閉と一体的に調節されるように、前記第１ドアおよび前記第２ドアのうちの少なくとも１つに設置される、操作ユニットと、
前記調理室が前記第２ドアと一体的にまたは前記第２ドアと別個に前記第１ドアによって開閉されるように、前記操作ユニットに取り外し可能に連結される第１ロックユニットと、該第１ロックユニットに取り外し可能に連結される第２ロックユニットとを含む、ロックユニットとを含むことを特徴とする、
オーブン。
【請求項１９】
前記第２ドアは、
フレームと、
前記フレームに設けられる開口部とを含み、
前記第１ドアは、前記開口部を開閉できるように前記フレームに設置されることを特徴とする、
請求項１８に記載のオーブン。
【発明の詳細な説明】
【技術分野】
【０００１】
本開示内容はオーブンに関するもので、詳細には使用便宜性およびエネルギー効率が向上するように改善された構造を有するオーブンに関するものである。
【背景技術】
【０００２】
オーブンは調理物を密閉、加熱して調理する器具で、一般にその熱源により電気式、ガス式、電子式に区分することができる。電気オーブンは電気ヒーターを熱源として利用し、ガスオーブンと電子レンジはそれぞれガスによる熱と高周波による水分子の摩擦熱を熱源として利用する。
【０００３】
オーブンは外観を形成するケーシング、ケーシングの開放された一面を開閉するドアおよびケーシングの内部に設けられる調理室を含むことができる。
【０００４】
使用者はドアを回動させて調理室の内部に調理物を収納した後、調理室を密閉させ、密閉された調理室を加熱するようにヒーターを作動させて調理室内部に収容される調理物を調理する。このとき、調理物の種類および量によって適当な温度で調理室の内部空間を加熱する。
【０００５】
一般に、ドアは調理室全体を開閉できるようにケーシングに設置される。したがって、使用者が調理過程で調理物の状態を確認したり、調理室の一部だけを利用して調理物を調理する場合にも調理室全体を開放しなければならないため、使用者に不便を与えおよび熱損失を発生させる恐れがある。
【発明の概要】
【発明が解決しようとする課題】
【０００６】
本開示内容の一側面は調理室の全部または一部を選択的に開閉できるように改善された構造を有するオーブンを提供する。
【０００７】
追加の側面および／または長所は、次に続く説明に部分的に記載されるはずであり、部分的には、詳細な説明から明白であり、または本開示内容の実施によって学習されることもある。
【課題を解決するための手段】
【０００８】
本開示内容の思想によるオーブンは、前面パネルを有するケーシング、前記ケーシングの内部に設けられる調理室、前記調理室を開閉できるように前記ケーシングに回動可能に配置され、フレームを有するドアおよび前記フレームに設けられる開口部を開閉するように前記フレームに回動可能に設置される個別ドアを含むことができる。
【０００９】
前記個別ドアは前記ドアと別個の回転軸を有することができる。
【００１０】
前記個別ドアは前記開口部の前方に設置され、前記ドアには前記個別ドアが装着できるように前方に向かって突出する装着部が設けられ得る。
【００１１】
本開示内容の思想によるオーブンは、前記ドアおよび前記個別ドアの回動を選択的に調節できるように前記ドアおよび前記個別ドアのうち少なくとも一つに設けられる操作ユニットをさらに含むことができる。
【００１２】
本開示内容の思想によるオーブンは、前記ドアおよび前記個別ドアのうち少なくとも一つの前面に設けられるハンドルをさらに含み、前記操作ユニットは前記ハンドルに設けられ得る。
【００１３】
本開示内容の思想によるオーブンは、前記個別ドアが前記ドアと一体にまたは別個に前記貯蔵室の開閉ができるように前記ドアおよび前記個別ドアを連結するロックユニットをさらに含むことができる。
【００１４】
本開示内容の思想によるオーブンは、前記操作ユニットの操作により前記個別ドアが前記ドアと一体にまたは別個に動くように前記ドアおよび前記個別ドアを連結するロックユニットをさらに含み、前記ロックユニットは前記貯蔵室に対する前記ドアの開閉の有無を調節するように前記前面パネルに設けられる締結溝を含むことができる。
【００１５】
前記ロックユニットは前記ドアの内部に設けられる後方ホルダー、回転可能に前記後方ホルダーに結合される後方リンクおよび前記後方ホルダーおよび前記後方リンクを貫通して前記後方ホルダーおよび前記後方リンクを連結する後方回転軸を含み、前記後方リンクは前記後方回転軸を中心に上下方向に沿って動くことを特徴とする。
【００１６】
前記後方リンクは前記締結溝に分離可能に結合されるフックを含むことができる。
【００１７】
前記フックは前記フックと上下方向に向き合うように前記後方ホルダーから延長される支持部および前記フックの間に設けられる弾性部材の復原力によって前記締結溝に分離可能に結合され得る。
【００１８】
前記ロックユニットは前記個別ドアの内部に設けられる前方ホルダー、前記操作ユニットの動きを選択的に前記後方リンクに伝達し、回転可能に前記前方ホルダーに結合される前方リンクおよび前記前方ホルダーおよび前記前方リンクを貫通するように前記前方ホルダーおよび前記前方リンクを連結し、前記後方回転軸と並んで配置される前方回転軸をさらに含み、前記前方リンクは前記前方回転軸を中心に上下方向に沿って動くことを特徴とする。
【００１９】
前記後方リンクは前記前方リンクの動きを前記フックに伝達する押圧部をさらに含み、前記後方ホルダーは前記前方リンクと向き合うように設けられる結合溝を含むことができる。
【００２０】
前記前方リンクは前記操作ユニットの動きにより前記結合溝に分離可能に結合される係止部を含み、前記フックは前記係止部が前記結合溝の内側に位置する前記押圧部を押しながら前記結合溝に結合されると前記締結溝から分離されることを特徴とする。
【００２１】
前記前方リンクは前方に向かって突出された凸部を有するボディーをさらに含み、前記操作ユニットは使用者が加圧できるように設けられる押圧部材および前記押圧部材の加圧の有無により前記凸部を選択的に加圧できるように前記押圧部材に回転可能に結合される加圧部材を含むことができる。
【００２２】
使用者が前記押圧部材を加圧すると前記加圧部材は前記押圧部材および前記加圧部材を連結する回転軸を中心に回転して前記凸部を加圧し、前記凸部が加圧されると前記係止部は前記結合溝から分離されることを特徴とする。
【００２３】
本開示内容の思想によるオーブンは、前面パネルを有するケーシング、前記ケーシングの内部に設けられる調理室および前記調理室の少なくとも一部を開閉できるように設けられる複数のドアを含み、前記複数のドアは前記調理室の一部を開閉するように設けられる第１ドアおよび前記第１ドアとともに前記調理室の全部を開閉するように前記前面パネルに回動可能に設けられる第２ドアを含み、前記第２ドアはフレームおよび前記フレームに設けられ、前記第１ドアによって開閉される開口部を含むことができる。
【００２４】
前記第１ドアは前記フレームに回動可能に設置され得る。
【００２５】
本開示内容の思想によるオーブンは、前記複数のドアのうち少なくとも一つの前面に設けられるハンドルおよび前記調理室の少なくとも一部の開閉を調節するように前記ハンドルに設置される操作ユニットをさらに含むことができる。
【００２６】
前記操作ユニットは押圧できるように前記ハンドルの後面に設けられる押圧部材を含み、前記押圧部材を押圧した状態で前記ハンドルを前記ケーシングの前方に向かって引っ張ると前記第１ドアが回動し、前記押圧部材を押圧していない状態で前記ハンドルを前記ケーシングの前方に向かって引っ張ると前記第１ドアおよび前記第２ドアが一体に回動することを特徴とする。
【００２７】
本開示内容の思想によるオーブンは、開放された前面を有するケーシング、前記ケーシングの内部に設けられる調理室および前記調理室の少なくとも一部を開閉できるように前記ケーシングの前方に回動可能に設けられる複数のドアを含み、前記複数のドアは前記調理室の一部を開閉するように設けられる第１ドアおよび前記第１ドアとともに前記調理室の全部を開閉し、前記第１ドアの回転軸に並んでいる別個の回転軸を中心に回動するように設けられる第２ドアを含み、本開示内容の思想によるオーブンは、前記第１ドアの開閉を独立的に調節するか、前記第２ドアの開閉と一体に調節できるように前記第１ドアおよび前記第２ドアのうち少なくとも一つに設置される操作ユニットをさらに含むことができる。
【００２８】
前記第２ドアはフレームおよび前記フレームに設けられる開口部を含み、前記第１ドアは前記開口部を開閉できるように前記フレームに設置され得る。
【発明の効果】
【００２９】
調理室の全部または一部を選択的に開閉することができるため、調理室開閉による熱損失を減らすことができる。
【００３０】
操作ユニットの簡単な操作だけで複数のドアの回動を容易に調節できるため使用者の使用便宜性を向上させることができる。
【００３１】
個別ドアを設置して使用頻度の高い調理室を選択的に開閉できるようにすることによって調理室の空間活用度を向上させることができる。
【図面の簡単な説明】
【００３２】
【図１】本開示内容の第１実施例に係るオーブンの外観を図示した図面。
【図２】本開示内容の第１実施例に係るオーブンのドアが開放された状態を図示した図面。
【図３】本開示内容の第１実施例に係るオーブンの側断面図。
【図４】本開示内容の第１実施例に係るオーブンの第１ドアが開放された状態を図示した図面。
【図５】本開示内容の第１実施例に係るオーブンの第２ドア開放時、第２ドアのロッキング解除状態を図１のＡ−Ａ’を基準として図示した断面図。
【図６】本開示内容の第１実施例に係るオーブンの第１ドア開放時、第１ドアのロッキング解除状態を図１のＡ−Ａ’線を基準として図示した断面図。
【図７】本開示内容の第２実施例に係るオーブンの第１ドアが開放された状態を図示した図面。
【図８】本開示内容の第３実施例に係るオーブンの外観を図示した図面。
【図９】本開示内容の第３実施例に係るオーブンの第１ドアを図示した図面。
【図１０】本開示内容の第３実施例に係るオーブンの第１ドアを図示した分解斜視図。
【図１１】本開示内容の第３実施例に係るオーブンの第２ドアを図示した図面。
【図１２】本開示内容の第３実施例に係るオーブンの第２ドアを図示した分解斜視図。
【図１３】図１１の第３フレームをＩ−Ｉ’で切開した断面図。
【図１４】本開示内容の第３実施例に係るオーブンの操作ユニットおよびロックユニットを図示した図面。
【図１５】図１４の操作ユニットおよびロックユニットを図示した分解斜視図。
【図１６】本開示内容の第３実施例に係るオーブンの第１ドアが開放される場合、ロックユニットの動作状態を図示した図面。
【図１７】本開示内容の第３実施例に係るオーブンの第２ドアが開放される場合、ロックユニットの動作状態を図示した図面。
【図１８】本開示内容の第４実施例に係るオーブンを図示した断面図。
【図１９】本開示内容の第４実施例に係るオーブンの操作ユニットを第１方向に移動させた場合、拘束ユニットの動作状態を図示した図面。
【図２０】本開示内容の第４実施例に係るオーブンの操作ユニットを第２方向に移動させた場合、拘束ユニットの動作状態を図示した図面。
【図２１】本開示内容の第４実施例に係るオーブンの拘束ユニットを図示した分解斜視図。
【図２２】本開示内容の第４実施例に係るオーブンの第１ドアが拘束された場合、拘束ユニットの一部を図示した図面。
【図２３】本開示内容の第４実施例に係るオーブンの第１ドアの拘束が解除された場合、拘束ユニットの一部を図示した図面。
【図２４ａ】本開示内容の第４実施例に係るオーブンの第１ドアが開放される場合、ロックユニットの動作状態を図示した図面。
【図２４ｂ】本開示内容の第４実施例に係るオーブンの第１ドアが開放される場合、ロックユニットの動作状態を図示した図面。
【図２５ａ】本開示内容の第４実施例に係るオーブンの第２ドアが開放される場合、ロックユニットの動作状態を図示した図面。
【図２５ｂ】本開示内容の第４実施例に係るオーブンの第２ドアが開放される場合、ロックユニットの動作状態を図示した図面。
【図２６】本開示内容の第５実施例に係るオーブンの外観を図示した図面。
【図２７】本開示内容の第５実施例に係るオーブンのロックユニットの設置構造を図示した図面。
【図２８】本開示内容の第５実施例に係るオーブンのロックユニットを図示した図面。
【図２９】本開示内容の第５実施例に係るオーブンのロックユニットの駆動ユニットを拡大して図示した図面。
【図３０】本開示内容の第５実施例に係るオーブンのロックユニットの拘束ユニットを拡大して図示した図面。
【図３１】本開示内容の第５実施例に係るオーブンのロックユニットの拘束ユニットを図示した分解斜視図。
【図３２】本開示内容の第５実施例に係るオーブンの第１ドアが開放される場合、ロックユニットの動作状態を図示した図面。
【図３３】本開示内容の第５実施例に係るオーブンの第２ドアが開放される場合、ロックユニットの動作状態を図示した図面。
【図３４】本開示内容の第５実施例に係るオーブンの第１ドアおよび第２ドアの開閉状態を感知するセンサーの位置を表示した図面。
【図３５】本開示内容の第５実施例に係るオーブンにおいて、第１ドアまたは第２ドアの開閉を制御する過程を示したフローチャート。
【図３６】本開示内容の一実施例に係るオーブンの第１ドアおよび第２ドアが適用された食器洗浄器を図示した図面。
【発明を実施するための形態】
【００３３】
以下では本開示内容に係る好ましい実施例を添付された図面を参照して詳細に説明する。一方、下記の説明で使われた用語「先端」、「後端」、「上部」、「下部」、「上端」および「下端」などは図面を基準として定義したものであり、この用語によって各構成要素の形状および位置が制限されるものではない。以下、第１ドアは個別ドア２００と同じ意味で使用され得、第２ドアはドア１００と同じ意味で使用され得る。
【００３４】
図１は本開示内容の第１実施例に係るオーブンの外観を図示した図面で、図２は本開示内容の第１実施例に係るオーブンのドアが開放された状態を図示した図面である。図３は本開示内容の第１実施例に係るオーブンの側断面図である。
【００３５】
図１〜図３に図示された通り、オーブン１は外観を形成するケーシング１０およびケーシング１０の内部に設けられる調理室１６を含むことができる。
【００３６】
ケーシング１０は前面の外観を形成する前面パネル１１、上面の外観を形成する上面パネル１２、側面の外観を形成する側面パネル１３、後面の外観を形成する後面パネル１４および下面の外観を形成する下面パネル１５を含むことができる。
【００３７】
ケーシング１０は開放された前面を有することができる。すなわち、ケーシング１０の前面パネル１１は開口部を有することができる。前面パネル１１には固定溝１２５が形成され得る。固定溝１２５の内部には係止段（１２５ａ、図５参照）が設けられ得る。係止段１２５ａは第２ロッキングユニット（４２０、図５参照）の動きを制限することができる。具体的には、第２ロッキングユニット４２０の係止部４２２は係止段１２５ａに結合され得、係止部４２２および係止段１２５ａの結合によって第２ロッキングユニット４２０のケーシング１０の内側方向への動きは制限され得る。係止段１２５ａは固定溝１２５の内側方向に突出した形状を有することができる。
【００３８】
調理室１６はボックス状に形成され、調理物の出納のために前面は開放されるように設けられ得る。調理室１６の開放された前面は調理室１６に対して上下方向に回転可能にヒンジ結合されるドア１００により開閉され得る。ドア１００の少なくとも一部分は調理室１６内部の調理物の調理過程を外部で確認できるようにガラスなどの透明材質で設けられ得る。
【００３９】
調理室１６の内部には複数の支持台１９が設けられ得る。複数の支持台１９には調理物を載置できるラック２０を装着することができる。複数の支持台１９は調理室１６の左側壁と右側壁から突出するように設けられ得る。
【００４０】
複数の支持台１９には調理室１６を分割できるディバイダー２３が分離可能に装着され得る。ディバイダー２３は調理室１６を複数個に分割することができる。具体的には、ディバイダー２３は調理室１６に水平に装着され、調理室１６を上部に位置する第１調理室１６ａと下部に位置する第２調理室１６ｂに分割することができる。
【００４１】
第１調理室１６ａと第２調理室１６ｂはそれぞれの大きさが互いに同一であってもよく、互いに相異してもよい。ディバイダー２３は断熱の材質を有し、第１調理室１６ａと第２調理室１６ｂを断熱させることができる。また、必ずしも第１調理室１６ａと第２調理室１６ｂを含まなければならないものではなく、一つの調理室だけを含むことも可能である。
【００４２】
オーブン１は調理室１６を開閉できるようにケーシング１０に設けられるドア１００をさらに含むことができる。ドア１００はケーシング１０に回動可能に配置され得る。好ましくは、ドア１００はケーシング１０の前面に回動可能に設置され得る。すなわち、ドア１００は前面パネル１１に回動可能に設置され得る。
【００４３】
また、オーブン１は調理室１６の一部を開閉できるようにドア１００と別個に回動可能な個別ドア２００をさらに含むことができる。個別ドア２００はドア１００に設置され得る。
【００４４】
ドア１００は調理室１６に対応する開口部１１０を含むことができる。すなわち、ドア１００は前面パネル１１と向き合う開口部１１０を含むことができる。個別ドア２００は開口部１１０の前方に設置され得る。個別ドア２００は開口部１１０を開閉できるようにドア１００に回動可能に設置され得る。個別ドア２００は開口部１１０を上下方向に開閉できるようにドア１００に設置されるが、これに限定されない。一例として、個別ドア２００が開口部１１０を左右方向に開閉できるようにドア１００に設置されることも可能である。
【００４５】
個別ドア２００は使用頻度が多い調理室１６の一部の開閉が容易であるようにドア１００に設置され得る。好ましくは、個別ドア２００は第１調理室１６ａの開閉が容易であるようにドア１００の上端部に設置され得る。このとき、第１調理室１６ａ、前面パネル１１の開口部およびドア１００の開口部１１０は互いに連通され、それぞれ個別ドア２００により遮蔽され得る。
【００４６】
他の側面から説明すると、オーブン１は調理室１６の少なくとも一部を開閉できるようにケーシング１０に設けられる複数のドア１００、２００をさらに含むことができる。複数のドア１００、２００はケーシング１０の前方に回動可能に設けられ得る。
【００４７】
複数のドア１００、２００は第１ドアおよび第２ドアを含むことができる。第１ドアは調理室１６の一部を開閉し、第２ドアは第１ドアとともに調理室１６の全部を開閉することができる。第１ドアは第２ドアの前方に回動可能に配置されるか装着され得る。
【００４８】
一方、ケーシング１０の前面パネル１１にはドア１００と調理室１６を密閉するためのメインシール部材（図示せず）が設置され得る。個別ドア２００の背面には個別ドア２００と開口部１１０を密閉するためのサブシール部材（図示せず）が設置され得る。
【００４９】
メインシール部材（図示せず）とサブシール部材（図示せず）の位置はこれに限定されず、密閉のために適切な位置に設置すればよい。
【００５０】
したがって、メインシール部材（図示せず）はケーシング１０の前面パネル１１ではなくドア１００の背面に設置されることもある。また、サブシール部材（図示せず）は個別ドア２００の背面ではなくドア１００の前面に設置されることもある。
【００５１】
複数のドア１００、２００はドアヒンジ１６０によりヒンジ結合され得る。ドア１００は前面パネル１１に第１ドアヒンジ１６１で締結され得、個別ドア２００はドア１００に第２ドアヒンジ１６２で締結され得る。具体的には、ドア１００の後面下端部の両側端が前面パネル１１の前面下端部の両側端と第１ドアヒンジ１６１で締結され、ドア１００が第１ドアヒンジ１６１を回転中心にして上下方向に回動することによって、使用者はドア１００を上下方向に回動させて調理室１６を開閉することができる。また、個別ドア２００の後面下端部の両側端がドア１００の前面両側端と第２ドアヒンジ１６２で締結され、個別ドア２００が第２ドアヒンジ１６２を回転中心にして上下方向に回動することによって使用者は個別ドア２００を上下方向に回動させて調理室１６の一部を開閉することができる。
【００５２】
ドア１００および個別ドア２００は別個の回転軸を有することができる。すなわち、ドア１００は第１ドアヒンジ１６１を回転軸にして回動し、個別ドア２００は第２ドアヒンジ１６２を回転軸にして回動する。ドア１００の回転軸および個別ドア２００の回転軸は互いに並んで配列され得る。
【００５３】
オーブン１はドア１００および個別ドア２００の回動を選択的に調節できるようにドア１００および個別ドア２００のうち少なくとも一つに設けられる操作ユニット３００をさらに含むことができる。
【００５４】
操作ユニット３００はドア１００および個別ドア２００のうち少なくとも一つの前面に設置され得る。
【００５５】
操作ユニット３００はスライディング（ＳＬＩＤＩＮＧ）方式、ノブを利用した回転方式および加圧可能なボタン（ＢＵＴＴＯＮ）方式を含むことができる。以下、スライディング方式の操作ユニット３００を中心に説明する。
【００５６】
オーブン１は使用者が容易に把持できるようにドア１００および個別ドア２００のうち少なくとも一つに設けられるハンドル９をさらに含むことができる。ハンドル９は前方に向かって突出するようにドア１００および個別ドア２００のうち少なくとも一つの前面に形成され得る。ハンドル９の形状は使用者が容易に把持できるように変形可能である。一例として、ハンドル９は後方に向かって陥没した形状を有することもできる。
【００５７】
操作ユニット３００はハンドル９に設けられ得る。操作ユニット３００はハンドル９の一側に設けられ得るが、これに限定されない。操作ユニット３００に対する詳細な説明は後述する。
【００５８】
オーブン１は操作ユニット３００の作動によりドア１００および個別ドア２００を分離可能に連結させるロッキングユニットをさらに含むことができる。ロッキングユニットに対する詳細な説明は後述する。
【００５９】
調理室１６の上部には回路基板などの各種電装部品（図示せず）が配置される電装室６０が設けられ得る。電装室６０の外観を形成する一面にはコントロールパネル２１が具備され得る。コントロールパネル２１にはオーブン１の各種動作情報を表示するディスプレイ１７およびオーブン１の動作を操作できる操作部１８が設けられ得る。
【００６０】
第１調理室１６ａと第２調理室１６ｂ内部の空気を循環させるようにそれぞれの調理室１６の後面には循環ファンユニット３０が結合され得る。すなわち、第１調理室１６ａの後方には第１循環ファンユニット３０ａが結合され、第２調理室１６ｂの後方には第２循環ファンユニット（図示せず）が結合される。第１循環ファンユニット３０ａの第１循環ファン３４ａは第１調理室１６ａの空気を対流させることができ、第２循環ファンユニット（図示せず）の第２循環ファン３４ｂは第２調理室１６ｂの空気を対流させることができる。
【００６１】
それぞれの循環ファンユニット３０は循環モーター３３と循環ファン３４を具備する。循環ファン３４の前方には板状の部材で形成される循環ファンカバー３２が結合され得る。循環ファンカバー３２には通孔部３１が形成され得る。これに伴い、循環ファン３４を通った流体は通孔部３１を通じて調理室１６の内部に移動することができる。
【００６２】
電装室６０の内部には電装室６０内部の温度を冷却させるための冷却ファンユニット５０が設置される。冷却ファンユニット５０は外部の空気を電装室６０内部に吸込んでオーブン１の前方に排出させる。
【００６３】
また、調理室１６と冷却ファンユニット５０は別途の流路（図示せず）によって連通され得る。調理物を調理する過程で調理室１６内部の少なくとも一部の流体は流路（図示せず）を通じて冷却ファンユニット５０に流入した後、オーブン１の前方に排出される。
【００６４】
冷却ファンユニット５０に流入した空気は電装室６０の下部に外部と連通するように設けられる前方流路５１を通じて外部に排出され得る。
【００６５】
第１調理室１６ａと電装室６０の間には遮蔽フレーム１２０が設けられて第１調理室１６ａと電装室６０の間の内部が露出されることを遮蔽する。第１調理室１６ａ上部と電装室６０の下部および遮蔽フレーム６２の間の空間には第１断熱材７１が位置することができる。第１断熱材７１は第１調理室１６ａ内部の熱が電装室６０内部に伝達されることを防止する。
【００６６】
また、循環ファンユニット３０の後方とケーシング１０の間には第２断熱材７２が位置することができる。第２断熱材７２は第１調理室１６ａと第２調理室１６ｂ内部の熱がケーシング１０外部に伝達されることを防止することができる。
【００６７】
ケーシング１０の後面に位置する後面パネル１４には外部の空気を調理室１６のうち少なくとも一つに流入させるための流入ホール４１が設けられ得る。本開示内容の一実施例によれば、流入ホール４１は第２調理室１６ｂに近接するように設けられて第２調理室１６ｂに外部の空気を流入させることができる。
【００６８】
流入ホール４１への空気の流入は流入モーター４２の作動を通じて行われ得る。流入ホール４１に流入した空気は流入モーター４２に結合されるガイドブラケット４５を通じて第２調理室１６ｂ内部に流体が流入され得る。
【００６９】
流入モーター４２は流入ファン４４と結合され得る。また、流入ファン４４には流入ファンハウジング４３が結合され得る。また流入ファンハウジング４３の一側はガイドブラケット４５と連通するように設けられ得る。ガイドブラケット４５は第２調理室１６ｂと連通する連通ホール（図示せず）に結合され得る。これに伴い、流入モーター４２の作動によって流入ファン４４に流入した外部の流体はガイドブラケット４５を通じて第２調理室１６ｂに流入して第２調理室１６ｂの温度を下げることができる。すなわち、流体が流入する流路はガイドブラケット４５の内部に形成される。
【００７０】
また、調理室１６に流入した流体の量に相応する流体が調理室１６から抜け出ることができるように後面パネル１４には流体が排出され得る流路である排出管（図示せず）が別途結合され得る。排出管（図示せず）はケーシング１０の少なくとも一部分に位置する排出ホール（図示せず）に結合され得る。本開示内容の一実施例によれば、排出ホール（図示せず）は後面パネル１４の少なくとも一部分に位置し、排出ホール（図示せず）に流出した流体は排出管（図示せず）に沿って移動する。
【００７１】
図４は本開示内容の第１実施例に係るオーブンの第１ドアが開放された状態を図示した図面である。以下、図示されていない図面符号は図１〜図３を参照する。
【００７２】
図４に図示された通り、ドア１００は前面パネル１１と向き合うことができる。
【００７３】
ドア１００は開口部１１０およびフレーム１２０を含むことができる。開口部１１０は調理室１６と連通するようにフレーム１２０の内側に設けられ得る。換言すると、フレーム１２０は開口部１１０の外側に配置され得る。開口部１１０は個別ドア２００により開閉され得る。
【００７４】
また、ドア１００は第１部分１４０および第１部分１４０に連結される第２部分１５０を含むことができる。
【００７５】
第１部分１４０には開口部１１０が設けられ得る。具体的には、第１部分１４０は開口部１１０および開口部１１０の周りを取り囲むフレーム１２０を含むことができる。フレーム１２０は開口部１１０の上側に位置する上面フレーム１２１、開口部１１０の両側に位置する側面フレーム１２２および開口部１１０の下側に位置する下面フレーム１２３を含むことができる。下面フレーム１２３は第２部分１５０に継続され得る。
【００７６】
第２部分１５０は前面パネル１１に第１ドアヒンジ１６１で締結され得る。
【００７７】
フレーム１２０には締結溝１２４が形成され得る。好ましくは、締結溝１２４は第１部分１４０の上面フレーム１２１に形成されるが、これに限定されない。
【００７８】
締結溝１２４および前面パネル１１に形成される固定溝１２５は一直線上に位置することができる。具体的には、締結溝１２４および固定溝１２５はケーシング１０の前後方向に沿って延長される一直線上に位置することができる。締結溝１２４および固定溝１２５に関する詳細な説明は後述する。
【００７９】
ドア１００には個別ドア２００が装着できるように前方に向かって突出する装着部（１３０、図３参照）が設けられ得る。装着部１３０は第２部分１５０に設けられ得る。装着部１３０は第２部分１５０の少なくとも一部に設けられ得る。
【００８０】
図５は本開示内容の第１実施例に係るオーブンの第２ドア開放時、第２ドアのロッキング解除状態を図１のＡ−Ａ線を基準として図示した断面図で、図６は本開示内容の第１実施例に係るオーブンの第１ドア開放時、第１ドアのロッキング解除状態を図１のＡ−Ａ線を基準として図示した断面図である。図示されていない図面符号は図１〜図４を参照する。
【００８１】
図５および図６に図示された通り、オーブン１は調理室１６の少なくとも一部の開閉を調節する操作ユニット３００をさらに含むことができる。
【００８２】
操作ユニット３００はハンドル９に設置され得る。操作ユニット３００はハンドル９の内部に設けられるガイド９ａに沿って動くことができる。
【００８３】
操作ユニット３００はボディー３１０、移動部３２０および把持部３３０を含むことができる。具体的には、ボディー３１０は操作ユニット３００が第１ロッキングユニット４１０と一体に動くことができるように第１ロッキングユニット４１０に結合される。移動部３２０はボディー３１０に連結され、動くことができるようにガイド９ａに締結される。把持部３３０は移動部３２０ないしボディー３１０に連結され、使用者が容易に操作できるようにケーシング１０の前方に向かって突出する。ボディー３１０、移動部３２０および把持部３３０は一体形成され得る。
【００８４】
操作ユニット３００はケーシング１０の内側および外側方向に動くことができる。一例として、操作ユニット３００はケーシング１０の左右方向または上下方向に動くことができる。
【００８５】
オーブン１はドア１００および個別ドア２００を連結させるロッキングユニットをさらに含むことができる。ロッキングユニットは操作ユニット３００の動きによりドア１００および個別ドア２００を分離可能に連結させることができる。
【００８６】
ロッキングユニットはドア１００および個別ドア２００の内部に設けられ得る。
【００８７】
ロッキングユニットは第１ロッキングユニット４１０および第２ロッキングユニット４２０を含むことができる。
【００８８】
第１ロッキングユニット４１０は個別ドア２００の内部に設けられ得る。第１ロッキングユニット４１０は操作ユニット３００と一体に動くことができるように操作ユニット３００に結合され得る。
【００８９】
第１ロッキングユニット４１０は支持部４１１およびロッキング部４１２を含むことができる。
【００９０】
支持部４１１は操作ユニット３００のボディー３１０と結合され得る。
【００９１】
ロッキング部４１２は支持部４１１に連結され得る。ロッキング部４１２は個別ドア２００の後方に向かって突出することができる。ロッキング部４１２は支持部４１１と一体形成され得る。
【００９２】
第１ロッキングユニット４１０はドア１００の締結溝１２４に分離可能に挿入され得る。
【００９３】
第２ロッキングユニット４２０はドア１００の内部に設けられ得る。第２ロッキングユニット４２０は第１ロッキングユニット４１０と分離可能に結合され得る。
【００９４】
第２ロッキングユニット４２０は第１ロッキングユニット４１０と対応するようにドア１００の内部に設けられ得る。具体的には、第２ロッキングユニット４２０はドア１００の第１部分１４０の内部に設けられ得る。好ましくは、第２ロッキングユニット４２０は第１部分１４０の上面フレーム１２１の内部に設けられ得る。
【００９５】
第２ロッキングユニット４２０は、結合部４２１、係止部４２２および連結部４２３を含むことができる。
【００９６】
結合部４２１はロッキング部４１２と着脱可能に結合され得る。係止部４２２はドア１００の後方に向かって突出され、前面パネル１１に形成される固定溝１２５に着脱可能に結合され得る。連結部４２３は結合部４２１および係止部４２２を連結する。
【００９７】
第２ロッキングユニット４２０の結合部４２１および係止部４２２は同じ方向に向かって曲がった鉤の形状を有することができる。第１ロッキングユニット４１０のロッキング部４１２は結合部４２１および係止部４２２と相異する方向に向かって曲がった鉤の形状を有することができる。
【００９８】
第２ロッキングユニット４２０はドア１００の内部に設けられる弾性部材４３０に連結され得る。弾性部材４３０はケーシング１０の内側および外側方向に第２ロッキングユニット４２０に弾性力を提供する役割をする。弾性部材４３０は操作ユニット３００をケーシング１０の外側方向に動かすとケーシング１０の外側方向に収縮され得る。弾性部材４３０はスプリングを含むことができる。ただし、弾性部材４３０は第２ロッキングユニット４２０に弾性力を提供することができればよく、スプリングに限定されない。
【００９９】
以下、ドア１００および個別ドア２００の開閉動作について説明する。
【０１００】
説明の便宜のために、ケーシング１０の内側方向を第１方向（Ａ）、ケーシング１０の外側方向を第２方向（Ｂ）と定義する。
【０１０１】
使用者は操作ユニット３００を利用してドア１００および個別ドア２００の回動を選択的に調節できる。すなわち、操作ユニット３００を第１方向（Ａ）に動かすと個別ドア２００が回動し、操作ユニット３００を第２方向（Ｂ）に動かすとドア１００が回動する。
【０１０２】
具体的には、操作ユニット３００を第１方向（Ａ）に動かすと、第１ロッキングユニット４１０は操作ユニット３００とともに第１方向（Ａ）に動き、第１ロッキングユニット４１０のロッキング部４１２は第２ロッキングユニット４２０の結合部４２１と分離される。したがって、個別ドア２００はドア１００と別個に回動可能である。このとき、第２ロッキングユニット４２０は前面パネル１１の固定溝１２５に固定された状態で存在する。具体的には、第２ロッキングユニット４２０は第２ロッキングユニット４２０の係止部４２２が係止段１２５ａに結合されることによって、第１方向（Ａ）への動きが制限される。すなわち、ドア１００は第２ロッキングユニット４２０の係止部４２２が係止段１２５ａに結合されることにより回動が制限される。
【０１０３】
操作ユニット３００を第２方向（Ｂ）に動かすと、第１ロッキングユニット４１０は操作ユニット３００とともに第２方向（Ｂ）に動き、第１ロッキングユニット４１０のロッキング部４１２は第２ロッキングユニット４２０の結合部４２１と結合される。したがって、個別ドア２００およびドア１００は一体に回動可能である。このとき、第２ロッキングユニット４２０は第１ロッキングユニット４１０と結合された状態で第２方向（Ｂ）に動き、第２ロッキングユニット４２０の係止部４２２は係止段１２５ａから分離される。個別ドア２００およびドア１００は第２ロッキングユニット４２０の係止部４２２が固定溝１２５から分離されることによって一体に回動可能である。
【０１０４】
図７は本開示内容の第２実施例に係るオーブンの第１ドアが開放された状態を図示した図面である。図示されていない図面符号は図１〜図６を参照する。以下、第１ドアは個別ドア２００と同じ意味で使用され得、第２ドアはドア１００と同じ意味で使用され得る。以下、図１〜図６と重複する説明は省略する。
【０１０５】
図７に図示された通り、個別ドア２００は第２調理室１６ｂの開閉が容易であるようにドア１００の下端部に設置され得る。このとき、第２調理室１６ｂ、前面パネル１１の開口部およびドア１００の開口部１１０は互いに連通され、それぞれ個別ドア２００により遮蔽され得る。
【０１０６】
ドア１００は前面パネル１１に第１ドアヒンジ１６１で締結され得、個別ドア２００はドア１００に第２ドアヒンジ１６２で締結され得る。具体的には、ドア１００の後面上端部の両側端が前面パネル１１の前面上端部の両側端と第１ドアヒンジ１６１で締結され、ドア１００が第１ドアヒンジ１６１を回転中心にして上下方向に回動することによって使用者はドア１００を上下方向に回動させて調理室１６を開閉することができる。また、個別ドア２００の後面上端部の両側端がドア１００の前面両側端と第２ドアヒンジ１６２で締結され、個別ドア２００が第２ドアヒンジ１６２を回転中心にして上下方向に回動することによって使用者は個別ドア２００を上下方向に回動させて調理室１６の一部を開閉することができる。
【０１０７】
複数のドア１００、２００は調理室１６の少なくとも一部を開閉できるようにケーシング１０の左右方向に回動することもできる。
【０１０８】
後述する第３実施例、第４実施例および第５実施例に係るオーブン１０００、２０００、３０００の個別ドア１２００、２２００、３２００も第２実施例に係るオーブン１の個別ドア２００と同じように第２調理室１６ｂの開閉が容易であるようにドア１１００、２１００、３１００の下端部に設置され得る。
【０１０９】
後述する第３実施例、第４実施例および第５実施例に係るオーブン１０００、２０００、３０００の複数のドア１１００、２１００、３１００、１２００、２２００、３２００は調理室１６の少なくとも一部を開閉できるようにケーシング１０の左右方向に回動することもできる。
【０１１０】
図８は本開示内容の第３実施例に係るオーブンの外観を図示した図面で、図９は本開示内容の第３実施例に係るオーブンの第１ドアを図示した図面である。図１０は本開示内容の第３実施例に係るオーブンの第１ドアを図示した分解斜視図で、図１１は本開示内容の第３実施例に係るオーブンの第２ドアを図示した図面である。図１２は本開示内容の第３実施例に係るオーブンの第２ドアを図示した分解斜視図で、図１３は図１１の第３フレームをＩ−Ｉ’で切開した断面図である。以下、第１ドアは個別ドア１２００と同じ意味で使用され得、第２ドアはドア１１００と同じ意味で使用され得る。以下、図１〜図４と重複する説明は省略する。また、図示されていない図面符号は図１〜図４を参照する。
【０１１１】
図８〜図１３に図示された通り、オーブン１０００は外観を形成するケーシング１０およびケーシング１０の内部に設けられる調理室１６を含むことができる。
【０１１２】
ケーシング１０は前面の外観を形成する前面パネル１１、上面の外観を形成する上面パネル１２、側面の外観を形成する側面パネル１３、後面の外観を形成する後面パネル（図示せず）および下面の外観を形成する下面パネル（図示せず）を含むことができる。
【０１１３】
ケーシング１０は開放された前面を有することができる。すなわち、ケーシング１０の前面パネル１１は開口部を有することができる。前面パネル１１には締結溝１６８１が形成され得る。締結溝１６８１には後述する後方リンク１６５０のフック１６５１が分離可能に結合され得る。
【０１１４】
調理室１６はボックス状に形成され、調理物の出納のために前面は開放されるように設けられ得る。調理室１６の開放された前面は調理室１６に上下方向に回転可能にヒンジ結合されるドア１１００により開閉され得る。
【０１１５】
オーブン１０００は調理室１６を開閉できるようにケーシング１０に設けられるドア１１００をさらに含むことができる。ドア１１００はケーシング１０に回動可能に配置され得る。好ましくは、ドア１１００はケーシング１０の前面に回動可能に設置され得る。すなわち、ドア１１００は前面パネル１１に回動可能に設置され得る。
【０１１６】
ドア１１００はフレーム１３００を含むことができる。
【０１１７】
フレーム１３００は調理室１６の前後方向（Ｍ）に前方に位置する第１フレーム１３０１および調理室１６の前後方向（Ｍ）に後方に位置する第２フレーム１３０２を含むことができる。第１フレーム１３０１および第２フレーム１３０２は互いに結合され得る。
【０１１８】
また、フレーム１３００は第１フレーム１３０１および第２フレーム１３０２を連結する第３フレーム１３０３をさらに含むことができる。
【０１１９】
第３フレーム１３０３は一面が開放された四角形状を有することができる。好ましくは、第３フレーム１３０３は下面が開放された四角形状を有することができる。すなわち、第３フレーム１３０３は上面１３０３ａ、右側面１３０３ｂおよび左側面１３０３ｃが結合された形状を有することができる。ただし、第３フレーム１３０３の形状はこれに限定されず、多様に変形可能である。
【０１２０】
第３フレーム１３０３は第１フレーム１３０１および第２フレーム１３０２の間に設けられ得る。
【０１２１】
第３フレーム１３０３は少なくとも一面が外部に露出されるように第１フレーム１３０１および第２フレーム１３０２の間に設けられ得る。好ましくは、第３フレーム１３０３の上面１３０３ａ、右側面１３０３ｂおよび左側面１３０３ｃが外部に露出されるように第１フレーム１３０１および第２フレーム１３０２の間に設けられ得る。
【０１２２】
第３フレーム１３０３は第１フレーム１３０１および第２フレーム１３０２の結合部位を囲むように設けられ得る。換言すると、第３フレーム１３０３は第１フレーム１３０１および第２フレーム１３０２の縁を囲むように設けられ得る。具体的には、第３フレーム１３０３の上面１３０３ａは第１フレーム１３０１および第２フレーム１３０２の上側結合部位を囲むように設けられ得る。第３フレーム１３０３の右側面１３０３ｂは第１フレーム１３０１および第２フレーム１３０２の右側結合部位を囲むように設けられ得る。第３フレーム１３０３の左側面１３０３ｃは第１フレーム１３０１および第２フレーム１３０２の左側結合部位を囲むように設けられ得る。第３フレーム１３０３を通じて第１フレーム１３０１および第２フレーム１３０２の結合部位の複雑な構成を隠蔽することができるためフレーム１３００のきれいな外観の形成が可能である。
【０１２３】
フレーム１３００は鋭さ防止構造を有することができる。具体的には、第３フレーム１３０３は鋭さ防止構造を有することができる。第１フレーム１３０１および第２フレーム１３０２の結合部位を囲むように設けられる第３フレーム１３０３は鋭い接触部位を有することができる。第３フレーム１３０３の鋭い接触部位は調理室１６の前後方向（Ｍ）に前方に向かう第３フレーム１３０３の上面の端に主に形成されるが、第３フレーム１３０３の鋭い接触部位の位置はこれに限定されない。第３フレーム１３０３はドア１１００または個別ドア１２００の開閉過程で使用者が第３フレーム１３０３の鋭い接触部位によって傷を負うことを防止するように折り曲げ部１３０４を有することができる。折り曲げ部１３０４は第３フレーム１３０３の鋭い接触部位の圧着によって形成され得る。具体的には、折り曲げ部１３０４は調理室１６の前後方向（Ｍ）に前方に向かう第３フレーム１３０３の上面の端が第１フレーム１３０１および第２フレーム１３０２のうち少なくとも一つと第３フレーム１３０３の間に位置するように曲がった形状を有することができる。すなわち、折り曲げ部１３０４は調理室１６の前後方向（Ｍ）に前方に向かう第３フレーム１３０３の上面の端が第１フレーム１３０１および第２フレーム１３０２のうち少なくとも一つの上面と向き合うように調理室１６の前後方向（Ｍ）に後方に向かって曲がった状態で圧着形成され得る。第３フレーム１３０３に折り曲げ部１３０４を形成することによって第３フレーム１３０３のなめらかな接触部位の具現が可能である。
【０１２４】
フレーム１３００はホウロウ処理され得る。第１フレーム１３０１、第２フレーム１３０２および第３フレーム１３０３のうち少なくとも一つはホウロウ処理され得る。
【０１２５】
ドア１１００は調理室１６と連通する開口部１１１０をさらに含むことができる。開口部１１１０はフレーム１３００の内側に設けられ得る。開口部１１１０は個別ドア１２００により開閉され得る。
【０１２６】
他の側面から説明すると、ドア１１００は少なくとも一つの開口部１１１０をさらに含むことができる。一例として、ドア１１００は第１開口部１１１１および第２開口部１１１２をさらに含むことができる。第１開口部１１１１は調理室１６の上下方向（Ｎ）に上方に位置するようにフレーム１３００の内側に設けられ得る。第２開口部１１１２は調理室１６の上下方向（Ｎ）に下方に位置するようにフレーム１３００の内側に設けられ得る。具体的には、第１開口部１１１１は調理室１６の上下方向（Ｎ）に上方に位置するように第２フレーム１３０２の内側に設けられ得る。第２開口部１１１２は調理室１６の上下方向（Ｎ）に下方に位置するように第２フレーム１３０２の内側に設けられ得る。第１開口部１１１１は個別ドア１２００により開閉され得る。
【０１２７】
ドア１１００はインナーフレーム１３０５をさらに含むことができる。
【０１２８】
インナーフレーム１３０５は調理室１６の前後方向（Ｍ）にフレーム１３００の前方に位置することができる。具体的には、インナーフレーム１３０５は調理室１６の前後方向（Ｍ）に第２開口部１１１２の前方に位置するように第２フレーム１３０２に固定結合され得る。第２フレーム１３０２には第２開口部１１１２の周りに沿って複数の連結部材１３１０が設けられ得る。複数の連結部材１３１０は第２フレーム１３０２およびインナーフレーム１３０５の間に断熱グラス収容空間１３６０を形成することができるように前方に向かって突出された形状を有することができる。インナーフレーム１３０５の内側には第２開口部１１１２に対応する開口１３０５ａが設けられ得る。また、インナーフレーム１３０５には複数の連結部材１３１０に対応するように開口１３０５ａの周りに沿って複数の締結ホール１３２０に設けられ得る。インナーフレーム１３０５および第２フレーム１３０２は複数の締結ホール１３２０および複数の連結部材１３１０を貫通する固定部材（図示せず）によって互いに結合され得る。
【０１２９】
ドア１１００はドアパネル１３０６をさらに含むことができる。ドアパネル１３０６は調理室１６の前後方向（Ｍ）にフレーム１３００の前方に位置することができる。換言すると、ドアパネル１３０６は調理室１６の前後方向（Ｍ）にインナーフレーム１３０５の前方に位置することができる。
【０１３０】
ドアパネル１３０６はフレーム１３００に結合され得る。具体的には、ドアパネル１３０６は第２フレーム１３０２に固定結合され得る。ドアパネル１３０６および第２フレーム１３０２の間にはインナーフレーム１３０５および少なくとも一つの断熱グラス１３３０が配置され得る。
【０１３１】
ドアパネル１３０６にはインナーフレーム１３０５の開口１３０５ａまたは第２フレーム１３０２の第２開口部１１１２に対応する透視窓１３０７が設けられ得る。使用者は透視窓１３０７を通じて調理室１６の内部状態を肉眼で確認することができる。
【０１３２】
ドア１１００は調理室１６内部の熱を遮断する少なくとも一つの断熱グラス１３３０をさらに含むことができる。一例として、少なくとも一つの断熱グラス１３３０は第１断熱グラス１３３１、第２断熱グラス１３３２、第３断熱グラス１３３３および第４断熱グラス（図示せず）を含むことができる。第１断熱グラス１３３１、第２断熱グラス１３３２、第３断熱グラス１３３３および第４断熱グラス（図示せず）は調理室１６の前後方向（Ｍ）に順に配置され得る。具体的には、第１断熱グラス１３３１はドアパネル１３０６と向き合うように調理室１６の前後方向（Ｍ）にドアパネル１３０６の後方に位置することができる。第１断熱グラス１３３１はドアパネル１３０６の透視窓１３０７に対応する透明部１３３１ｃおよび透明部１３３１ｃの周りに沿って配置される不透明部１３３１ｂを含むことができる。不透明部１３３１ｂは複雑なドア１１００の内部構造を遮蔽する役割をする。第２断熱グラス１３３２は調理室１６の前後方向（Ｍ）に第１断熱グラス１３３１の後方に位置することができる。換言すると、第２断熱グラス１３３２は第１断熱グラス１３３１およびインナーフレーム１３０５の間に位置することができる。第２断熱グラス１３３２の一側には第１グラスホルダー１３４０が設けられ得る。具体的には、第１グラスホルダー１３４０は第２断熱グラス１３３２の両側端に設けられ得る。ただし、第１グラスホルダー１３４０の位置は第２断熱グラス１３３２の両側端に限定されず、多様に変形可能である。第２断熱グラス１３３２は第１グラスホルダー１３４０によりインナーフレーム１３０５に固定結合され得る。具体的には、第２断熱グラス１３３２は第１グラスホルダー１３４０およびインナーフレーム１３０５に形成された固定ホール１３０５ｂを貫通する固定部材（図示せず）によりインナーフレーム１３０５に固定結合され得る。第３断熱グラス１３３３および第４断熱グラス（図示せず）はインナーフレーム１３０５および第２フレーム１３０２の間に形成される断熱グラス収容空間１３６０に収容され得る。第３断熱グラス１３３３および第４断熱グラス（図示せず）は第２グラスホルダー１３５０に結合され得る。換言すると、第２グラスホルダー１３５０は第３断熱グラス１３３３および第４断熱グラス（図示せず）を支持するように第３断熱グラス１３３３および第４断熱グラス（図示せず）の縁に沿って設けられ得る。第３断熱グラス１３３３および第４断熱グラス（図示せず）は第２グラスホルダー１３５０に拘束された状態で断熱グラス収容空間１３６０に収容され得る。第２フレーム１３０２に設けられる複数の連結部材１３１０は第３断熱グラス１３３３および第４断熱グラス（図示せず）が断熱グラス収容空間１３６０に収容された場合、第２グラスホルダー１３５０の外側周りに沿って配置され得る。複数の連結部材１３１０は第２グラスホルダー１３５０を支持する役割をすることもある。
【０１３３】
ドア１１００はグラスホルダー１３４０、１３５０をさらに含むことができる。具体的には、グラスホルダー１３４０、１３５０は第２断熱グラス１３３２に設けられる第１グラスホルダー１３４０および第３断熱グラス１３３３と第４断熱グラス（図示せず）を拘束する第２グラスホルダー１３５０を含むことができる。グラスホルダー１３４０、１３５０の個数および位置はこれに限定されない。
【０１３４】
ドア１１００はドアヒンジ１６０によりヒンジ結合され得る。ドア１１００は前面パネル１１に第１ドアヒンジ１６１で締結され得る。具体的には、ドア１１００の後面下端部の両側端が前面パネル１１の前面下端部の両側端と第１ドアヒンジ１６１で締結され、ドア１１００が第１ドアヒンジ１６１を回転中心にして調理室１６の上下方向（Ｎ）に回動することによって使用者はドア１１００を調理室１６の上下方向（Ｎ）に回動させて調理室１６を開閉することができる。
【０１３５】
オーブン１０００はドア１１００の開口部１１１０を開閉するようにフレーム１３００の前方に設置される個別ドア１２００をさらに含むことができる。具体的には、個別ドア１２００は第１開口部１１１１を開閉するように第１フレーム１３０１の前方に設置され得る。個別ドア１２００は開口部１１１０を開閉するようにドア１１００に回動可能に設置され得る。具体的には、個別ドア１２００は第１開口部１１１１を開閉するように第１フレーム１３０１に回動可能に設置され得る。個別ドア１２００は第１開口部１１１１を調理室１６の上下方向（Ｎ）に開閉することができるようにドア１１００に設置され得る。
【０１３６】
個別ドア１２００は使用頻度が多い調理室１６の一部の開閉が容易であるようにドア１１００に設置され得る。好ましくは、個別ドア１２００は第１調理室１６ａの開閉が容易であるようにドア１１００の上端部に設置され得る。このとき、第１調理室１６ａ、前面パネル１１の開口部およびドア１１００の開口部１１１０は互いに連通され、それぞれ個別ドア１２００により遮蔽され得る。換言すると、第１調理室１６ａ、前面パネル１１の開口部およびフレーム１３００の第１開口部１１１１は互いに連通され、それぞれ個別ドア１２００により遮蔽され得る。
【０１３７】
個別ドア１２００はパネル１４００を含むことができる。
【０１３８】
パネル１４００は調理室１６の前後方向（Ｍ）に前方に位置するフロントパネル１４１０を含むことができる。フロントパネル１４１０は個別ドア１２００の前面を形成することができる。フロントパネル１４１０にはハンドル９が設けられ得る。フロントパネル１４１０はリアパネル１４２０に結合され得る。フロントパネル１４１０およびリアパネル１４２０の間にはインナーパネル１４３０および少なくとも一つの断熱グラス１３３０ａが配置され得る。フロントパネル１４１０にはインナーパネル１４３０の第２開放部１４３１またはリアパネル１４２０の第１開放部１４２１に対応する透視窓１３０７ａが設けられ得る。使用者は透視窓を通じて調理室１６の内部状態を肉眼で確認することができる。パネル１４００は調理室１６の前後方向（Ｍ）に後方に位置するリアパネル１４２０をさらに含むことができる。リアパネル１４２０は個別ドア１２００の後面を形成することができる。リアパネル１４２０は調理室１６の前後方向（Ｍ）にドア１１００の第１フレーム１３０１の前方に位置することができる。リアパネル１４２０はフロントパネル１４１０と結合することができる。リアパネル１４２０には第１フレーム１３０１の第１開口部１１１１に対応する第１開放部１４２１が形成され得る。パネル１４００はフロントパネル１４１０およびリアパネル１４２０の間に位置するインナーパネル１４３０をさらに含むことができる。インナーパネル１４３０は調理室１６の前後方向（Ｍ）に第１開放部１４２１の前方に位置するようにリアパネル１４２０に固定結合され得る。リアパネル１４２０には第１開放部１４２１の周りに沿って複数の連結部材１３１０が設けられ得る。複数の連結部材１３１０はリアパネル１４２０およびインナーパネル１４３０の間に断熱グラス収容空間１３６０ａを形成することができるように前方に向かって突出された形状を有することができる。インナーパネル１４３０の内側には第１開放部１４２１に対応する第２開放部１４３１が設けられ得る。また、インナーパネル１４３０には複数の連結部材１３１０に対応するように第２開放部１４３１の周りに沿って複数の締結ホール１３２０ａが設けられ得る。インナーパネル１４３０およびリアパネル１４２０は複数の締結ホール１３２０ａおよび複数の連結部材１３１０を貫通する固定部材（図示せず）によって結合され得る。
【０１３９】
個別ドア１２００は断熱性能を向上させることができるように少なくとも一つの断熱グラス１３３０ａをさらに含むことができる。一例として、少なくとも一つの断熱グラス１３３０ａは第１断熱グラス１３３１ａ、第２断熱グラス１３３２ａ、第３断熱グラス１３３３ａおよび第４断熱グラス（図示せず）を含むことができる。第１断熱グラス１３３１ａ、第２断熱グラス１３３２ａ、第３断熱グラス１３３３ａおよび第４断熱グラス（図示せず）は調理室１６の前後方向（Ｍ）に順に配置され得る。具体的には、第１断熱グラス１３３１ａはフロントパネル１４１０と向き合うように調理室１６の前後方向（Ｍ）にフロントパネル１４１０の後方に位置することができる。第１断熱グラス１３３１ａはフロントパネル１４１０の透視窓１３０７ａに対応する透明部１３３１ｃおよび透明部１３３１ｃの外側周りに沿って配置される不透明部１３３１ｂを含むことができる。不透明部１３３１ｂは複雑な個別ドア１２００の内部構造を遮蔽する役割をする。第２断熱グラス１３３２ａは調理室１６の前後方向（Ｍ）に第１断熱グラス１３３１ａの後方に位置することができる。換言すると、第２断熱グラス１３３２ａは第１断熱グラス１３３１ａおよびインナーパネル１４３０の間に位置することができる。第２断熱グラス１３３２ａの一側には第１ホルダー１４４０が設けられ得る。具体的には、第１ホルダー１４４０は第２断熱グラス１３３２ａの両側端に設けられ得る。ただし、第１ホルダー１４４０の位置は第２断熱グラス１３３２ａの両側端に限定されず、多様に変形可能である。第２断熱グラス１３３２ａは第１ホルダー１４４０によりインナーパネル１４３０に固定結合され得る。具体的には、第２断熱グラス１３３２ａは第１ホルダー１４４０およびインナーパネル１４３０に形成された固定ホール１４３０ａを貫通する固定部材（図示せず）によりインナーパネル１４３０に固定結合され得る。第３断熱グラス１３３３ａおよび第４断熱グラス（図示せず）はインナーパネル１４３０およびリアパネル１４２０の間に形成される断熱グラス収容空間１３６０ａに収容され得る。第３断熱グラス１３３３ａおよび第４断熱グラス（図示せず）は第２ホルダー１４５０に結合され得る。換言すると、第２ホルダー１４５０は第３断熱グラス１３３３ａおよび第４断熱グラス（図示せず）を支持するように第３断熱グラス１３３３ａおよび第４断熱グラス（図示せず）の縁に沿って設けられ得る。第３断熱グラス１３３３ａおよび第４断熱グラス（図示せず）は第２ホルダー１４５０に拘束された状態で断熱グラス収容空間１３６０ａに収容され得る。リアパネル１４２０に設けられる複数の連結部材１３１０は第３断熱グラス１３３３ａおよび第４断熱グラス（図示せず）が断熱グラス収容空間１３６０ａに収容された場合、第２ホルダー１４５０の外側周りに沿って配置され得る。複数の連結部材１３１０は第２ホルダー１４５０を支持する役割をすることもある。
【０１４０】
個別ドア１２００はグラスホルダー１４４０、１４５０をさらに含むことができる。具体的には、グラスホルダー１４４０、１４５０は第２断熱グラス１３３２ａに設けられる第１ホルダー１４４０および第３断熱グラス１３３３ａと第４断熱グラス（図示せず）を拘束する第２ホルダー１４５０を含むことができる。グラスホルダー１４４０、１４５０の個数および位置はこれに限定されない。
【０１４１】
個別ドア１２００はドアヒンジ１６０によりヒンジ結合され得る。個別ドア１２００はドア１１００に第２ドアヒンジ１６２で締結され得る。具体的には、個別ドア１２００は第２ドアヒンジ１６２により第１フレーム１３０１に回動可能に設置され得る。個別ドア１２００は個別ドア１２００の後面下端部の両側端がドア１１００の前面両側端と第２ドアヒンジ１６２で締結され、個別ドア１２００が第２ドアヒンジ１６２を回転中心にして調理室１６の上下方向（Ｎ）に回動することによって使用者は個別ドア１２００を調理室１６の上下方向（Ｎ）に回動させて調理室１６の一部を開閉することができる。
【０１４２】
ドア１１００および個別ドア１２００は別個の回転軸を有することができる。すなわち、ドア１１００は第１ドアヒンジ１６１を回転軸にして回動し、個別ドア１２００は第２ドアヒンジ１６２を回転軸にして回動する。ドア１１００の回転軸および個別ドア１２００の回転軸は互いに並んで配列され得る。
【０１４３】
他の側面から説明すると、オーブン１０００は調理室１６の少なくとも一部を開閉できるようにケーシング１０に設けられる複数のドア１１００、１２００をさらに含むことができる。複数のドア１１００、１２００はケーシング１０の前方に回動可能に設けられ得る。
【０１４４】
複数のドア１１００、１２００は第１ドアおよび第２ドアを含むことができる。第１ドアは調理室１６の一部を開閉し、第２ドアは第１ドアとともに調理室１６の全部を開閉することができる。第１ドアは第２ドアの前方に回動可能に配置されるか装着され得る。
【０１４５】
一方、ケーシング１０の前面パネル１１にはドア１１００と調理室１６を密閉するための第１シール部材（図示せず）が設置され得る。個別ドア１２００の背面には個別ドア１２００と開口部、具体的には、第１開口部１１１１を密閉するための第２シール部材（図示せず）が設置され得る。第１シール部材（図示せず）と第２シール部材（図示せず）の位置はこれに限定されず、密閉のために適切な位置に設置されれば充分である。
【０１４６】
したがって、第１シール部材（図示せず）はケーシング１０の前面パネル１１ではなくドア１１００の背面に設置されてもよい。また、第２シール部材（図示せず）は個別ドア１２００の背面ではなくドア１１００の前面、換言すると、第１フレーム１３０１の前面に設置されてもよい。
【０１４７】
オーブン１０００はドア１１００および個別ドア１２００の回動を選択的に調節できるようにドア１１００および個別ドア１２００のうち少なくとも一つに設けられる操作ユニット１５００をさらに含むことができる。
【０１４８】
操作ユニット１５００はドア１１００および個別ドア１２００のうち少なくとも一つの前面に設置され得る。
【０１４９】
オーブン１０００は使用者が容易に把持できるようにドア１１００および個別ドア１２００のうち少なくとも一つに設けられるハンドル９をさらに含むことができる。ハンドル９は調理室１６の前方に向かって突出するようにドア１１００および個別ドア１２００のうち少なくとも一つの前面に形成され得る。ハンドル９の形状は使用者が容易に把持できるように変形可能である。
【０１５０】
操作ユニット１５００はハンドル９に設けられ得る。操作ユニット１５００に対する詳細な説明は後述する。
【０１５１】
オーブン１０００は操作ユニット１５００の操作により個別ドア１２００がドア１１００と一体にまたは別個に動くようにドア１１００および個別ドア１２００を連結するロックユニット１６００をさらに含むことができる。ロックユニット１６００に対する詳細な説明は後述する。
【０１５２】
ドア１１００には個別ドア１２００が装着できるように調理室１６の前方に向かって突出する装着部（図示せず）が設けられ得る。個別ドア１２００は回動可能に装着部（図示せず）に装着され得る。
【０１５３】
図１４は本開示内容の第３実施例に係るオーブンの操作ユニットおよびロックユニットを図示した図面で、図１５は図１４の操作ユニットおよびロックユニットを図示した分解斜視図である。以下、図示されていない図面番号は図８〜図１３を参照する。以下、凸部はガイド面１６１２の第２部分１６１２ｂと同じ意味で使用され得る。また、第２支持部１６６２は支持部と同じ意味で使用され得る。
【０１５４】
図１４および図１５に図示された通り、オーブン１０００はドア１１００および個別ドア１２００の回動を選択的に調節できるようにドア１１００および個別ドア１２００のうち少なくとも一つに設けられる操作ユニット１５００をさらに含むことができる。好ましくは、操作ユニット１５００はハンドル９に設けられ得る。操作ユニット１５００は一部が外部に露出されるようにハンドル９の内部に設けられ得る。換言すると、操作ユニット１５００は押圧部材１５２０の一部がハンドル９の外側に向かって突出するようにハンドル９の内部に設けられ得る。すなわち、操作ユニット１５００は押圧部材１５２０の一部が使用者によって直接加圧されるようにハンドル９の内部に設けられ得る。
【０１５５】
操作ユニット１５００は外観を形成するケース１５１０を含むことができる。
【０１５６】
ケース１５１０は調理室１６の前後方向（Ｍ）に前方に位置する第１ケース１５１１および調理室１６の前後方向（Ｍ）に後方に位置する第２ケース１５１２を含むことができる。第１ケース１５１１および第２ケース１５１２は互いに結合して操作ユニット１５００の外観を形成することができる。第２ケース１５１２には押圧部材収容部１５１３および加圧部材収容部１５１４が設けられ得る。押圧部材収容部１５１３は切開部１５１５を含むことができる。加圧部材収容部１５１４はフロントパネル１４１０に向かうようにハンドル９の外部に突出され得る。
【０１５７】
操作ユニット１５００は使用者が加圧できるように設けられる押圧部材１５２０をさらに含むことができる。押圧部材１５２０は押圧部材１５２０の一部が切開部１５１５を通じて第２ケース１５１２の外部に突出するように押圧部材収容部１５１３に配置され得る。切開部１５１５を通じて第２ケース１５１２の外部に突出する押圧部材１５２０の一部は個別ドア１２００の前面に向かうようにハンドル９の外部に突出され得る。換言すると、押圧部材１５２０は押圧できるようにハンドル９の後面に設けられ得る。
【０１５８】
操作ユニット１５００は押圧部材１５２０に回転可能に結合される加圧部材１５３０をさらに含むことができる。加圧部材１５３０は前方リンク１６１０を選択的に加圧できるように加圧部材収容部１５１４に収容され得る。加圧部材１５３０は押圧部材１５２０の加圧の有無により前方リンク１６１０の第１部分１６１２ａを選択的に加圧できるように押圧部材１５２０に回転可能に結合され得る。
【０１５９】
操作ユニット１５００は押圧部材１５２０および加圧部材１５３０を連結する回転軸１５４０をさらに含むことができる。換言すると、加圧部材１５３０は回転軸１５４０を中心に前方リンク１６１０のボディー１６１１に形成されるガイド面１６１２に沿って動くことができるように押圧部材１５２０に結合され得る。
【０１６０】
操作ユニット１５００は弾性体１５５０をさらに含むことができる。弾性体１５５０はスプリングを含むことができる。弾性体１５５０は第１ケース１５１１および押圧部材１５２０の間に設けられ得る。弾性体１５５０は第１ケース１５１１および押圧部材１５２０のうち少なくとも一つに結合され得る。使用者が押圧部材１５２０を加圧する場合、弾性体１５５０は収縮され得る。
【０１６１】
オーブン１０００は個別ドア１２００がドア１１００と一体にまたは別個に調理室１６を開閉できるようにドア１１００および個別ドア１２００を連結するロックユニット１６００をさらに含むことができる。換言すると、オーブン１０００は操作ユニット１５００の操作により個別ドア１２００がドア１１００と一体にまたは別個に動くようにドア１１００および個別ドア１２００を連結するロックユニット１６００をさらに含むことができる。
【０１６２】
ロックユニット１６００は前方リンク１６１０を含むことができる。
【０１６３】
前方リンク１６１０はボディー１６１１を含むことができる。
【０１６４】
ボディー１６１１の一面にはガイド面１６１２が形成され得る。具体的には、ガイド面１６１２は加圧部材１５３０と向き合うボディー１６１１の一面に形成され得る。ガイド面１６１２には凹凸が形成され得る。一例として、ガイド面１６１２は第１部分１６１２ａおよび第２部分１６１２ｂを含むことができる。第２部分１６１２ｂは前方に向かって突出するように第１部分１６１２ａに連結され得る。換言すると、第２部分１６１２ｂは前方に向かって膨らんで突出するように第１部分１６１２ａに連結され得る。加圧部材１５３０は回転軸１５４０を中心にガイド面１６１２に沿って回動することができる。加圧部材１５３０は押圧部材１５２０の加圧の有無によりガイド面１６１２の第２部分１６１２ｂを選択的に加圧できるように押圧部材１５２０に回転可能に結合され得る。具体的には、使用者が押圧部材１５２０を加圧する場合、加圧部材１５３０は回転軸１５４０を中心に回転してガイド面１６１２の第２部分１６１２ｂを加圧することができる。
【０１６５】
前方リンク１６１０はボディー１６１１に連結されるヘッド１６１３をさらに含むことができる。
【０１６６】
ヘッド１６１３は調理室１６の上下方向（Ｎ）にボディー１６１１の上部に連結され得る。調理室１６の前後方向（Ｍ）に前方に向かうヘッド１６１３の一端部には軸貫通ホール１６１４が形成され得る。
【０１６７】
前方リンク１６１０は操作ユニット１５００の動きにより結合溝１６６５に分離可能に結合される係止部１６１５をさらに含むことができる。具体的には、係止部１６１５は調理室１６の前後方向（Ｍ）に後方に向かうヘッド１６１３の他端部に形成され得る。係止部１６１５は後方ホルダー１６６０に形成される結合溝１６６５に分離可能に結合され得るように鉤の形状を有することができる。ただし、係止部１６１５の形状は鉤の形状に限定されず、多様に変形可能である。
【０１６８】
ロックユニット１６００は前方ホルダー１６２０をさらに含むことができる。
【０１６９】
前方ホルダー１６２０は個別ドア１２００の内部に設けられ得る。
【０１７０】
前方ホルダー１６２０は支持部材１６４０に結合される第１固定部１６２１を含むことができる。第１固定部１６２１および支持部材１６４０は固定部材（図示せず）によって結合され得る。第１固定部１６２１は前方に向かう前方ホルダー１６２０の前面１６２０ａから側方に向かって延長され得る。
【０１７１】
前方ホルダー１６２０は第１支持部１６２２をさらに含むことができる。第１支持部１６２２は前方に向かう前方ホルダー１６２０の前面１６２０ａから後方に向かって延長され得る。
【０１７２】
前方ホルダー１６２０は前方リンク１６１０が挿入される前方リンク挿入部１６２３をさらに含むことができる。前方リンク１６１０が前方リンク挿入部１６２３に挿入される場合、第１支持部１６２２および前方リンク１６１０のヘッド１６１３は調理室１６の上下方向（Ｎ）に互いに向き合うことができる。第１支持部１６２２および前方リンク１６１０のヘッド１６１３の間には第１弾性部材１６２４が設けられ得る。第１弾性部材１６２４は第１支持部１６２２および前方リンク１６１０のヘッド１６１３のうち少なくとも一つに結合され得る。係止部１６１５は第１弾性部材１６２４の復原力によって結合溝１６６５に分離可能に結合され得る。
【０１７３】
前方ホルダー１６２０は前方軸結合ホール１６２５をさらに含むことができる。前方軸結合ホール１６２５は前方ホルダー１６２０の前面１６２０ａから前方に向かって突出する突出部１６２６に形成され得る。
【０１７４】
前方リンク１６１０は調理室１６の上下方向（Ｎ）に回動可能に前方ホルダー１６２０に結合され得る。具体的には、前方リンク１６１０は前方リンク１６１０および前方ホルダー１６２０を連結する前方回転軸１６３０を中心に調理室１６の上下方向（Ｎ）に沿って回動可能に前方ホルダー１６２０に結合され得る。前方回転軸１６３０は前方ホルダー１６２０の前方軸結合ホール１６２５および前方リンク１６１０の軸貫通ホール１６１４を貫通して前方ホルダー１６２０および前方リンク１６１０を連結する。
【０１７５】
ロックユニット１６００は支持部材１６４０をさらに含むことができる。支持部材１６４０はリアパネル１４２０に固定できる。前方ホルダー１６２０の第１固定部１６２１は支持部材１６４０に結合され得る。支持部材１６４０には後方ホルダー１６６０の結合溝１６６５および後方リンク１６５０の押圧部１６５２が挿入されるように挿入ホール１６４１が形成され得る。
【０１７６】
ロックユニット１６００は後方リンク１６５０をさらに含むことができる。
【０１７７】
後方リンク１６５０は回転可能に後方ホルダー１６６０に結合され得る。
【０１７８】
後方リンク１６５０は前面パネル１１に設けられる締結溝１６８１に分離可能に結合されるフック１６５１を含むことができる。フック１６５１は調理室１６の前後方向（Ｍ）に後方に向かう後方リンク１６５０の一端部に形成され得る。
【０１７９】
後方リンク１６５０は前方リンク１６１０の動きをフック１６５１に伝達する押圧部１６５２をさらに含むことができる。押圧部１６５２は調理室１６の前後方向（Ｍ）に前方に向かう後方リンク１６５０の他端部に形成され得る。
【０１８０】
後方リンク１６５０はフック１６５１および押圧部１６５２を連結する連結部１６５３をさらに含むことができる。連結部１６５３には軸貫通孔１６５４が形成され得る。
【０１８１】
ロックユニット１６００は後方ホルダー１６６０をさらに含むことができる。
【０１８２】
後方ホルダー１６６０はドア１１００の内部に設けられ得る。
【０１８３】
後方ホルダー１６６０はドア１１００のフレーム１３００に結合される第２固定部１６６１を含むことができる。具体的には、第２固定部１６６１はドア１１００の第２フレーム１３０２に固定結合され得る。第２固定部１６６１およびドア１１００の第２フレーム１３０２は固定部材（図示せず）によって結合され得る。第２固定部１６６１は前方に向かう後方ホルダー１６６０の前面１６６０ａから側方に向かって延長され得る。
【０１８４】
後方ホルダー１６６０は第２支持部１６６２をさらに含むことができる。第２支持部１６６２はフック１６５１と調理室１６の上下方向（Ｎ）に向き合うように後方ホルダー１６６０から延長され得る。具体的には、第２支持部１６６２は前方に向かう後方ホルダー１６６０の前面１６６０ａから後方に向かって延長され得る。
【０１８５】
後方ホルダー１６６０は後方リンク１６５０が挿入される後方リンク挿入部１６６３をさらに含むことができる。具体的には、後方ホルダー１６６０は後方リンク１６５０のフック１６５１が挿入される後方リンク挿入部１６６３をさらに含むことができる。後方リンク１６５０が後方リンク挿入部１６６３に挿入される場合、第２支持部１６６２および後方リンク１６５０のフック１６５１は調理室１６の上下方向（Ｎ）に互いに向き合うことができる。第２支持部１６６２および後方リンク１６５０のフック１６５１の間には第２弾性部材１６６４が設けられ得る。第２弾性部材１６６４は第２支持部１６６２および後方リンク１６５０のフック１６５１のうち少なくとも一つに結合され得る。フック１６５１は第２弾性部材１６６４の復原力によって締結溝１６８１に分離可能に結合され得る。
【０１８６】
後方ホルダー１６６０は前方リンク１６１０と向き合うように設けられる結合溝１６６５をさらに含むことができる。結合溝１６６５は結合フレーム１６６６の内部に形成され得る。結合フレーム１６６６は後方ホルダー１６６０の前面１６６０ａから前方に向かって突出された形状を有することができる。結合溝１６６５には後方リンク１６５０の押圧部１６５２が調理室１６の上下方向（Ｎ）に回動可能に配置され得る。
【０１８７】
後方ホルダー１６６０は後方軸結合ホール１６６７をさらに含むことができる。後方軸結合ホール１６６７は後方ホルダー１６６０の結合フレーム１６６６に形成され得る。一例として、後方軸結合ホール１６６７は調理室１６の上下方向（Ｎ）に結合溝１６６５の下方に位置するように結合フレーム１６６６に形成され得る。
【０１８８】
後方リンク１６５０は調理室１６の上下方向（Ｎ）に回動可能に後方ホルダー１６６０に結合され得る。具体的には、後方リンク１６５０は後方リンク１６５０および後方ホルダー１６６０を連結する後方回転軸１６７０を中心に調理室１６の上下方向（Ｎ）に沿って回動可能に後方ホルダー１６６０に結合され得る。後方回転軸１６７０は後方ホルダー１６６０の後方軸結合ホール１６６７および後方リンク１６５０の軸貫通孔１６５４を貫通して後方ホルダー１６６０および後方リンク１６５０を連結する。
【０１８９】
ロックユニット１６００は調理室１６に対するドア１１００の開閉の有無を調節するように前面パネル１１に設けられる締結溝１６８１をさらに含むことができる。具体的には、締結溝１６８１は前面パネル１１に固定される拘束部材１６８０の内部に形成され得る。後方リンク１６５０のフック１６５１は締結溝１６８１に分離可能に結合され得る。
【０１９０】
ロックユニット１６００は後方ホルダー１６６０および後方リンク１６５０を貫通して後方ホルダー１６６０および後方リンク１６５０を連結する後方回転軸１６７０をさらに含むことができる。後方リンク１６５０は後方回転軸１６７０を中心に調理室１６の上下方向（Ｎ）に沿って動くことができる。
【０１９１】
ロックユニット１６００は前方ホルダー１６２０および前方リンク１６１０を貫通するように前方ホルダー１６２０および前方リンク１６１０を連結し、後方回転軸１６７０と並んで配置される前方回転軸１６３０をさらに含むことができる。前方リンク１６１０は前方回転軸１６３０を中心に調理室１６の上下方向（Ｎ）に沿って動くことができる。
【０１９２】
図１６は本開示内容の第３実施例に係るオーブンの第１ドアが開放される場合、ロックユニットの動作状態を図示した図面で、図１７は本開示内容の第３実施例に係るオーブンの第２ドアが開放される場合、ロックユニットの動作状態を図示した図面である。以下、図示されていない図面符号は図８〜図１５を参照する。
【０１９３】
図１６および図１７に図示された通り、使用者が押圧部材１５２０を押圧した状態でハンドル９をケーシング１０の前方に向かって、すなわち、調理室１６の前方に向かって引っ張ると個別ドア１２００が回動し、押圧部材１５２０を押圧していない状態でハンドル９をケーシング１０の前方に向かって、すなわち、調理室１６の前方に向かって引っ張ると個別ドア１２００およびドア１１００が一体に回動することができる。
【０１９４】
図１６を参照して個別ドア１２００が開放される過程を説明する。
【０１９５】
使用者が押圧部材１５２０を加圧する場合、加圧部材１５３０は回転軸１５４０を中心に回転して前方リンク１６１０の第２部分１６１２ｂを加圧する。前方リンク１６１０の第２部分１６１２ｂが加圧されると前方リンク１６１０は前方回転軸１６３０を中心に上方に向かって回転する。このとき、第１弾性部材１６２４は収縮され、係止部１６１５は後方ホルダー１６６０の結合溝１６６５から分離される。これに伴い、個別ドア１２００はドア１１００と別個に回動可能な状態となる。換言すると、ドア１１００と別個に個別ドア１２００のロック状態が解除される。個別ドア１２００のロック状態が解除された場合、後方リンク１６５０のフック１６５１は第２弾性部材１６６４により拘束部材１６８０の締結溝１６８１に結合された状態で維持される。したがって、ドア１１００は個別ドア１２００と別個に前面パネル１１に拘束された状態で維持される。
【０１９６】
図１７を参照してドア１１００が開放される過程を説明する。
【０１９７】
使用者が押圧部材１５２０を加圧していない場合、調理室１６の後方に向かう加圧部材１５３０の一端部は前方リンク１６１０の第１部分１６１２ａと向き合う。換言すると、使用者が押圧部材１５２０を加圧していない状態でハンドル９を引っ張ると、前方リンク１６１０に対する加圧部材１５３０の加圧は発生しない。このとき、係止部１６１５は第１弾性部材１６２４により結合溝１６６５の内側に位置する押圧部１６５２を押圧し、結合溝１６６５に結合された状態で維持される。係止部１６１５により後方リンク１６５０の押圧部１６５２が加圧されると後方リンク１６５０は後方回転軸１６７０を中心に上方に向かって回転する。このとき、第２弾性部材１６６４は収縮され、フック１６５１は拘束部材１６８０の締結溝１６８１から分離される。これに伴い、ドア１１００は前面パネル１１から回動可能な状態となる。換言すると、ドア１１００のロック状態が解除される。前面パネル１１に対するドア１１００のロック状態が解除される場合、個別ドア１２００はドア１１００と一体に動く。具体的には、前面パネル１１に対するドア１１００のロック状態が解除される場合、個別ドア１２００は前方リンク１６１０の係止部１６１５および後方ホルダー１６６０の結合溝１６６５の結合によってドア１１００と一体に動く。
【０１９８】
図１８は本開示内容の第４実施例に係るオーブンを図示した断面図で、図１９は本開示内容の第４実施例に係るオーブンの操作ユニットを第１方向に移動させた場合、拘束ユニットの動作状態を図示した図面である。図２０は本開示内容の第４実施例に係るオーブンの操作ユニットを第２方向に移動させた場合、拘束ユニットの動作状態を図示した図面で、図２１は本開示内容の第４実施例に係るオーブンの拘束ユニットを図示した分解斜視図である。図２２は本開示内容の第４実施例に係るオーブンの第１ドアが拘束された場合、拘束ユニットの一部を図示した図面で、図２３は本開示内容の第４実施例に係るオーブンの第１ドアの拘束が解除された場合、拘束ユニットの一部を図示した図面である。図２４ａおよび図２４ｂは本開示内容の第４実施例に係るオーブンの第１ドアが開放される場合、ロックユニットの動作状態を図示した図面で、図２５ａおよび図２５ｂは本開示内容の第４実施例に係るオーブンの第２ドアが開放される場合、ロックユニットの動作状態を図示した図面である。以下、第１ドアは個別ドア２２００と同じ意味で使用され得、第２ドアはドア２１００と同じ意味で使用され得る。以下、図１〜図４と重複する説明は省略する。また、図示されていない図面符号は図１〜図４を参照する。
【０１９９】
図１８〜図２５ｂに図示された通り、オーブン２０００は調理室１６を開閉できるようにケーシング１０に設けられるドア２１００をさらに含むことができる。ドア２１００はケーシング１０に回動可能に配置され得る。好ましくは、ドア２１００はケーシング１０の前面に回動可能に設置され得る。すなわち、ドア２１００は前面パネル１１に回動可能に設置され得る。
【０２００】
ドア２１００は図８〜図１３で説明したような構造を有し得るが、これに限定されない。ただし、説明の便宜のためにドア２１００が図８〜図１３で説明したような構造を有するものと仮定する。
【０２０１】
オーブン２０００は調理室１６の一部を開閉できるようにドア２１００と別個に回動可能な個別ドア２２００をさらに含むことができる。個別ドア２２００はドア２１００に設置され得る。
【０２０２】
個別ドア２２００は図８〜図１３で説明したような構造を有し得るが、これに限定されない。ただし、説明の便宜のために個別ドア２２００が図８〜図１３で説明したような構造を有するものと仮定する。
【０２０３】
オーブン２０００はドア２１００および個別ドア２２００の回動を選択的に調節できるようにドア２１００および個別ドア２２００のうち少なくとも一つに設けられる操作ユニット２３００をさらに含むことができる。
【０２０４】
操作ユニット２３００はドア２１００および個別ドア２２００のうち少なくとも一つの前面に設置され得る。好ましくは、操作ユニット２３００はハンドル９に設けられ得る。操作ユニット２３００はハンドル９の一側に設けられ得るが、これに限定されない。
【０２０５】
操作ユニット２３００はレバー２３１０、連結部材２３２０およびロッド２３３０を含むことができる。
【０２０６】
レバー２３１０は使用者が容易に操作できるようにハンドル９の前方に向かって突出する。レバー２３１０は第１方向（Ｐ）または第２方向（Ｑ）に向かって動くことができる。
【０２０７】
ロッド２３３０はレバー２３１０の動きを後述する拘束ユニット２４００に伝達するように設けられる。ロッド２３３０は個別ドア２２００の内部に設けられ得る。ロッド２３３０はケーシング１０の左右方向（Ｕ）（図８参照）に延長された棒状を有することができる。また、ロッド２３３０は開放された一面を有する棒状を有することができる。ただし、ロッド２３３０の形状は棒状に限定されず、レバー２３１０の動きを拘束ユニット２４００に伝達できる形状であれば充分である。ロッド２３３０の第１端部２３３１には連結部材結合孔２３３３が設けられ得る。ロッド２３３０の第２端部２３３２には複数のローラ２３４０が設けられ得る。具体的には、複数のローラ２３４０はロッド２３３０の第２端部２３３２の内部に回転可能に収容され得る。好ましくは、複数のローラ２３４０は第１ローラ２３４１、第２ローラ２３４２および第３ローラ２３４３を含むことができる。第１ローラ２３４１および第２ローラ２３４２は互いに離隔するようにロッド２３３０の第２端部２３３２に設けられ得る。第２ローラ２３４２は第１ローラ２３４１よりレバー２３１０に隣接するようにロッド２３３０の第２端部２３３２に設けられ得る。第３ローラ２３４３は第１ローラ２３４１および第２ローラ２３４２の間に設けられ得る。複数のローラ２３４０は互いに異なる軸２３４１ａ、２３４２ａ、２３４３ａを中心に回転することができる。複数のローラ２３４０のうち少なくとも一つの軸２３４１ａ、２３４２ａ、２３４３ａはケーシング１０の上下方向（Ｎ）（図８参照）に互いに異なる高さを有するようにロッド２３３０に結合され得る。一例として、第１ローラ２３４１の軸２３４１ａおよび第２ローラ２３４２の軸２３４２ａはケーシング１０の上下方向（Ｎ）（図８参照）に第３ローラ２３４３の軸２３４３ａより上方に位置することができる。第１ローラ２３４１の軸２３４１ａおよび第２ローラ２３４２の軸２３４２ａはケーシング１０の上下方向（Ｎ）（図８参照）に同じ高さに位置することができる。複数のローラ２３４０の軸２３４１ａ、２３４２ａ、２３４３ａはケーシング１０の前後方向（Ｍ）（図８参照）にロッド２３３０を貫通するようにロッド２３３０に結合され得る。ただし、複数のローラ２３４０の個数および位置は多様に変形可能である。
【０２０８】
連結部材２３２０はレバー２３１０およびロッド２３３０を連結するようにレバー２３１０およびロッド２３３０の間に設けられる。具体的には、連結部材２３２０の一端部はレバー２３１０に結合され、連結部材２３２０の他端部はロッド２３３０の連結部材結合孔２３３３に結合され得る。すなわち、連結部材２３２０はレバー２３１０の動きをロッド２３３０に伝達する役割をする。レバー２３１０、連結部材２３２０およびロッド２３３０は一体に動くことができる。
【０２０９】
オーブン２０００は操作ユニット２３００の操作により個別ドア２２００がドア２１００と一体にまたは別個に動くようにドア２１００および個別ドア２２００を連結する拘束ユニット２４００をさらに含むことができる。
【０２１０】
拘束ユニット２４００は支持フレーム２４１０を含むことができる。
【０２１１】
支持フレーム２４１０は個別ドア２２００の内部に設けられ得る。換言すると、支持フレーム２４１０は個別ドア２２００に固定結合され得る。
【０２１２】
支持フレーム２４１０は操作ユニット２３００のロッド２３３０と向き合う底面２４１０ａを含むことができる。支持フレーム２４１０の底面２４１０ａにはロッド２３３０の第２端部２３３２の移動をガイドするレール部２４１１が形成され得る。
【０２１３】
支持フレーム２４１０は底面２４１０ａと向き合う支持面２４１０ｂをさらに含むことができる。支持面２４１０ｂはケーシング１０の上下方向（Ｎ）（図８参照）に底面２４１０ａの上方に位置することができる。
【０２１４】
支持フレーム２４１０は底面２４１０ａおよび支持面２４１０ｂを連結する連結面２４１０ｃをさらに含むことができる。連結面２４１０ｃにはホルダー２４３０およびリンク２４２０の一部が挿入されるように挿入ホール２４１２が設けられ得る。
【０２１５】
底面２４１０ａ、支持面２４１０ｂおよび連結面２４１０ｃは一体形成され得る。
【０２１６】
拘束ユニット２４００はリンク２４２０を含むことができる。
【０２１７】
リンク２４２０は回転可能にホルダー２４３０に結合され得る。
【０２１８】
リンク２４２０は前面パネル１１に設けられる締結溝２４４１に分離可能に結合されるフック２４２１を含むことができる。フック２４２１はケーシング１０の前後方向（Ｍ）（図８参照）に後方に向かうリンク２４２０の一端部に形成され得る。
【０２１９】
リンク２４２０は押圧部２４２２をさらに含むことができる。押圧部２４２２はケーシング１０の前後方向（Ｍ）（図８参照）に前方に向かうリンク２４２０の他端部に形成され得る。押圧部２４２２は加圧部材２４５０により加圧され得る。
【０２２０】
リンク２４２０はフック２４２１および押圧部２４２２を連結する連結部２４２３をさらに含むことができる。連結部２４２３には軸貫通孔２４２４が形成され得る。
【０２２１】
拘束ユニット２４００はホルダー２４３０をさらに含むことができる。
【０２２２】
ホルダー２４３０はドア２１００の内部に設けられ得る。
【０２２３】
ホルダー２４３０はドア２１００に固定結合される固定部２４３１を含むことができる。固定部２４３１およびドア２１００は固定部材（図示せず）によって結合され得る。固定部２４３１は前方に向かうホルダー２４３０の前面２４３２から側方に向かって延長され得る。
【０２２４】
ホルダー２４３０は支持部２４３３をさらに含むことができる。支持部２４３３はフック２４２１とケーシング１０の上下方向（Ｎ）（図８参照）に向き合うようにホルダー２４３０から延長され得る。具体的には、支持部２４３３は前方に向かうホルダー２４３０の前面２４３２から後方に向かって延長され得る。
【０２２５】
ホルダー２４３０はリンク２４２０が挿入されるリンク挿入部２４３４をさらに含むことができる。具体的には、ホルダー２４３０はリンク２４２０のフック２４２１が挿入されるリンク挿入部２４３４をさらに含むことができる。リンク２４２０がリンク挿入部２４３４に挿入される場合、支持部２４３３およびリンク２４２０のフック２４２１はケーシング１０の上下方向（Ｎ）（図８参照）に互いに向き合うことができる。支持部２４３３およびリンク２４２０のフック２４２１の間には第２弾性部材２４７０が設けられ得る。第２弾性部材２４７０は支持部２４３３およびリンク２４２０のフック２４２１のうち少なくとも一つに結合され得る。フック２４２１は第２弾性部材２４７０の復原力によって締結溝２４４１に分離可能に結合され得る。
【０２２６】
ホルダー２４３０は結合溝２４３５をさらに含むことができる。結合溝２４３５は結合フレーム２４３６の内部に形成され得る。結合フレーム２４３６はホルダー２４３０の前面２４３２から前方に向かって突出された形状を有することができる。結合溝２４３５にはリンク２４２０の押圧部２４２２がケーシング１０の上下方向（Ｎ）に回動可能に配置され得る。
【０２２７】
ホルダー２４３０は軸結合ホール２４３７をさらに含むことができる。軸結合ホール２４３７はホルダー２４３０の結合フレーム２４３６に形成され得る。一例として、軸結合ホール２４３７はケーシング１０の上下方向（Ｎ）（図８参照）に結合溝２４３５の下方に位置するように結合フレーム２４３６に形成され得る。
【０２２８】
リンク２４２０はケーシング１０の上下方向（Ｎ）（図８参照）に回動可能にホルダー２４３０に結合され得る。具体的には、リンク２４２０はリンク２４２０およびホルダー２４３０を連結する回転軸２４８０を中心にケーシング１０の上下方向（Ｎ）（図８参照）に沿って回動可能にホルダー２４３０に結合され得る。回転軸２４８０はホルダー２４３０の軸結合ホール２４３７およびリンク２４２０の軸貫通孔２４２４を貫通してホルダー２４３０およびリンク２４２０を連結する。
【０２２９】
拘束ユニット２４００は支持部材２４９０をさらに含むことができる。支持部材２４９０はドア２１００の内部に設けられ得る。ホルダー２４３０の固定部２４３１は支持部材２４９０に結合され得る。支持部材２４９０にはホルダー２４３０の結合溝２４３５およびリンク２４２０の押圧部２４２２が挿入されるように挿入具２４９１が設けられ得る。
【０２３０】
拘束ユニット２４００は調理室１６に対するドア２１００の開閉の有無を調節するように前面パネル１１に設けられる締結溝２４４１をさらに含むことができる。具体的には、締結溝２４４１は前面パネル１１に固定される拘束部材２４４０の内部に形成され得る。リンク２４２０のフック２４２１は締結溝２４４１に分離可能に結合され得る。
【０２３１】
拘束ユニット２４００はホルダー２４３０およびリンク２４２０を貫通してホルダー２４３０およびリンク２４２０を連結する回転軸２４８０をさらに含むことができる。リンク２４２０は回転軸２４８０を中心にケーシング１０の上下方向（Ｎ）（図８参照）に沿って動くことができる。
【０２３２】
拘束ユニット２４００は加圧部材２４５０をさらに含むことができる。
【０２３３】
加圧部材２４５０はドア２１００の内部に設けられ得る。加圧部材２４５０はケーシング１０の上下方向（Ｎ）（図８参照）に動くことができるようにドア２１００の内部に設けられ得る。
【０２３４】
加圧部材２４５０はケーシング１０の前後方向（Ｍ）（図８参照）に支持フレーム２４１０の前方に位置することができる。加圧部材２４５０はケーシング１０の上下方向（Ｎ）（図８参照）に動くことができるように支持フレーム２４１０に結合され得る。
【０２３５】
加圧部材２４５０はケーシング１０の上下方向（Ｎ）（図８参照）に支持フレーム２４１０の底面２４１０ａに沿って動くロッド２３３０の上方に位置するように支持フレーム２４１０に設けられ得る。
【０２３６】
加圧部材２４５０は外観を形成する枠２４５１を含むことができる。
【０２３７】
加圧部材２４５０の枠２４５１は支持フレーム２４１０の支持面２４１０ｂと向き合う第１壁２４５２を含むことができる。加圧部材２４５０および支持フレーム２４１０の間には第１弾性部材２４６０が設けられ得る。具体的には、加圧部材２４５０の第１壁２４５２および支持フレーム２４１０の支持面２４１０ｂの間には第１弾性部材２４６０が設けられ得る。第１弾性部材２４６０は第１壁２４５２および支持面２４１０ｂのうち少なくとも一つに結合され得る。
【０２３８】
加圧部材２４５０の枠２４５１はロッド２３３０と向き合う第２壁２４５３をさらに含むことができる。第２壁２４５３はロッド２３３０の第２端部２３３２と向き合うことができる。換言すると、第２壁２４５３は複数のローラ２３４０と向き合うことができる。第２壁２４５３には凹凸が形成され得る。他の側面から説明すると、第２壁２４５３には複数のレッグ２４５４、２４５５が形成され得る。複数のレッグ２４５４、２４５５は複数のローラ２３４０に向かって第２壁２４５３から突出した形状を有することができる。換言すると、複数のレッグ２４５４、２４５５は支持フレーム２４１０の底面２４１０ａに向かって突出された形状を有することができる。複数のレッグ２４５４、２４５５の間には係止部２４５６が設けられ得る。一例として、複数のレッグ２４５４、２４５５は第１レッグ２４５４および第２レッグ２４５５を含むことができる。第２レッグ２４５５は第１レッグ２４５４よりレバー２３１０に隣接するように第２壁２４５３に形成され得る。複数のレッグ２４５４、２４５５の個数は２個に限定されず、多様に変形可能である。
【０２３９】
第２壁２４５３には移動ガイド２４５３ａが形成され得る。移動ガイド２４５３ａは複数のローラ２３４０と向き合う第２壁２４５３の一面に形成され得る。換言すると、移動ガイド２４５３ａは複数のローラ２３４０と向き合う複数のレッグ２４５４、２４５５および係止部２４５６の一面に形成され得る。複数のローラ２３４０は移動ガイド２４５３ａに沿って回転することができる。複数のローラ２３４０は移動ガイド２４５３ａに嵌合された状態で回転することができる。支持フレーム２４１０の底面２４１０ａに形成されるレール部２４１１および第２壁２４５３に形成される移動ガイド２４５３ａはロッド２３３０の移動をガイドすることができる。具体的には、レール部２４１１および移動ガイド２４５３ａはロッド２３３０の第２端部２３３２の移動をガイドすることができる。
【０２４０】
加圧部材２４５０の枠２４５１は第１壁２４５２および第２壁２４５３の間に設けられる第３壁２４５７および第４壁２４５８を含むことができる。第３壁２４５７は第４壁２４５８よりもレバー２３１０に隣接するように第１壁２４５２および第２壁２４５３の間に設けられ得る。
【０２４１】
第１壁２４５２、第２壁２４５３、第３壁２４５７および第４壁２４５８は互いに一体形成され得る。
【０２４２】
加圧部材２４５０は枠２４５１の内部に形成される中空部２４５１ａをさらに含むことができる。中空部２４５１ａには支持フレーム２４１０の挿入ホール２４１２を通過したホルダー２４３０およびリンク２４２０の一部が挿入され得る。具体的には、中空部２４５１ａには支持フレーム２４１０の挿入ホール２４１２を通過したホルダー２４３０の結合フレーム２４３６およびリンク２４２０の押圧部２４２２が挿入され得る。
【０２４３】
加圧部材２４５０はプッシュ部２４５９をさらに含むことができる。プッシュ部２４５９はリンク２４２０の押圧部２４２２を加圧できるように枠２４５１に形成され得る。具体的には、プッシュ部２４５９は中空部２４５１ａに向かって突出するように第１壁２４５２に形成され得る。プッシュ部２４５９はリンク２４２０の押圧部２４２２を加圧した後、ホルダー２４３０の結合溝２４３５に結合され得る。
【０２４４】
オーブン２０００はガイドレール２５００をさらに含むことができる。ガイドレール２５００は個別ドア２２００の内部に設けられ得る。ガイドレール２５００はロッド２３３０の動きをガイドすることができるように個別ドア２２００に設けられ得る。具体的には、ガイドレール２５００はロッド２３３０の第１端部２３３１の動きをガイドすることができるように個別ドア２２００に設けられ得る。
【０２４５】
レバー２３１０を第１方向（Ｐ）に移動させるとロッド２３３０はレバー２３１０と一体に第１方向（Ｐ）に動く。ロッド２３３０はガイドレール２５００および支持フレーム２４１０の底面２４１０ａに形成されるレール部２４１１に沿って第１方向（Ｐ）に動く。このとき、加圧部材２４５０の複数のレッグ２４５４、２４５５は複数のローラ２３４０のうちケーシング１０の上下方向（Ｎ）（図８参照）に上方に位置するローラ２４３１、２３４２と向き合うことができる。具体的には、第１レッグ２４５４は第１ローラ２３４１と向き合うことができ、第２レッグ２４５５は第２ローラ２３４２と向き合うことができる。換言すると、第１レッグ２４５４は第１ローラ２３４１上に位置することができ、第２レッグ２４５５は第２ローラ２３４２上に位置することができる。係止部２４５６はケーシング１０の上下方向（Ｎ）（図８参照）に複数のローラ２３４０の上方に位置することができる。すなわち、係止部２４５６はケーシング１０の上下方向（Ｎ）（図８参照）に複数のローラ２３４０と離隔され得る。複数のレッグ２４５４、２４５５がケーシング１０の上下方向（Ｎ）（図８参照）に複数のローラ２３４０の上方に位置する場合、加圧部材２４５０はケーシング１０の上方に向かって動く。このとき、第１弾性部材２４６０は収縮される。また、加圧部材２４５０のプッシュ部２４５９はリンク２４２０の押圧部２４２２から離隔される。加圧部材２４５０がケーシング１０の上方に向かって動くとリンク２４２０のフック２４２１は第２弾性部材２４７０の復原力によって拘束部材２４４０の締結溝２４４１に結合された状態で維持される。この状態でハンドル９をケーシング１０の前方に向かって引っ張ると個別ドア２２００はドア２１００と別個に回動可能な状態となる。反面、ドア２１００は個別ドア２２００と別個にケーシング１０、すなわち、前面パネル１１に拘束された状態で維持される。
【０２４６】
レバー２３１０を第２方向（Ｑ）に移動させるとロッド２３３０はレバー２３１０と一体に第２方向（Ｑ）に動く。ロッド２３３０はガイドレール２５００および支持フレーム２４１０の底面２４１０ａに形成されるレール部２４１１に沿って第２方向（Ｑ）に動く。このとき、加圧部材２４５０の複数のレッグ２４５４、２４５５のうち一つは複数のローラ２３４０のうちケーシング１０の上下方向（Ｎ）（図８参照）に下方に位置するローラ２３４０と向き合うことができる。具体的には、第２レッグ２４５５は第３ローラ２３４３と向き合うことができる。第１レッグ２４５４は複数のローラ２３４０から離隔されるがフレーム２４１０の底面２４１０ａと向き合うことができる。換言すると、加圧部材２４５０の係止部２４５６は第１ローラ２３４１と向き合うことができる。具体的には、加圧部材２４５０の係止部２４５６は第１ローラ２３４１上に位置することができる。第２レッグ２４５５は第１ローラ２３４１および第２ローラ２３４２の間に位置することができる。すなわち、第２レッグ２４５５は第３ローラ２３４３上に位置することができる。このとき、加圧部材２４５０は第１弾性部材２４６０の復原力によってケーシング１０の下方に向かって動く。また、加圧部材２４５０のプッシュ部２４５９はリンク２４２０の押圧部２４２２を加圧して結合溝２４３５に結合される。加圧部材２４５０のプッシュ部２４５９がリンク２４２０の押圧部２４２２を加圧するとリンク２４２０は回転軸２４８０を中心に回転し、第２弾性部材２４７０は収縮される。このとき、リンク２４２０のフック２４２１は拘束部材２４４０の締結溝２４４１から分離される。この状態でハンドル９をケーシング１０の前方に向かって引っ張るとドア２１００は前面パネル１１から回動可能な状態となる。換言すると、ドア２１００のロック状態が解除される。前面パネル１１に対するドア２１００のロック状態が解除される場合、個別ドア２２００はドア２１００と一体に動く。
【０２４７】
図２６は本開示内容の第５実施例に係るオーブンの外観を図示した図面で、図２７は本開示内容の第５実施例に係るオーブンのロックユニットの設置構造を図示した図面である。図２８は本開示内容の第５実施例に係るオーブンのロックユニットを図示した図面で、図２９は本開示内容の第５実施例に係るオーブンのロックユニットの駆動ユニットを拡大して図示した図面である。図３０は本開示内容の第５実施例に係るオーブンのロックユニットの拘束ユニットを拡大して図示した図面で、図３１は本開示内容の第５実施例に係るオーブンのロックユニットの拘束ユニットを図示した分解斜視図である。以下、第１ドアは個別ドア３２００と同じ意味で使用され得、第２ドアはドア３１００と同じ意味で使用され得る。以下、図１〜図４と重複する説明は省略する。また、図示されていない図面符号は図１〜図４を参照する。
【０２４８】
図２６〜図３１に図示された通り、オーブン３０００は調理室１６を開閉できるようにケーシング１０に設けられるドア３１００をさらに含むことができる。ドア３１００はケーシング１０に回動可能に配置され得る。好ましくは、ドア３１００はケーシング１０の前面に回動可能に設置され得る。すなわち、ドア３１００は前面パネル１１に回動可能に設置され得る。
【０２４９】
ドア３１００は図８〜図１３で説明したような構造を有し得るが、これに限定されない。ただし、説明の便宜のためにドア３１００が図８〜図１３で説明したような構造を有するものと仮定する。
【０２５０】
オーブン３０００は調理室１６の一部を開閉できるようにドア３１００と別個に回動可能な個別ドア３２００をさらに含むことができる。個別ドア３２００はドア３１００に設置され得る。
【０２５１】
個別ドア３２００は図８〜図１３で説明したような構造を有し得るが、これに限定されない。ただし、説明の便宜のために個別ドア３２００は図８〜図１３で説明したような構造を有するものと仮定する。
【０２５２】
オーブン３０００はドア３１００および個別ドア３２００の回動を選択的に調節できるようにディスプレイ１７に設けられるタッチ部３３００をさらに含むことができる。
【０２５３】
タッチ部３３００は個別ドア３２００の開放命令を入力する第１タッチ部３３１０およびドア３１００の開放命令を入力する第２タッチ部３３２０を含むことができる。
【０２５４】
オーブン３０００はタッチ部３３００の操作により個別ドア３２００がドア３１００と一体にまたは別個に動くように設けられるロックユニット３４００をさらに含むことができる。
【０２５５】
ロックユニット３４００は調理室１６およびケーシング１０の間に設けられ得る。一例として、ロックユニット３４００は調理室１６および上面パネル１２の間に設置され得る。
【０２５６】
ロックユニット３４００は拘束ユニット３４１０を含むことができる。
【０２５７】
拘束ユニット３４１０はリンク３４１１を含むことができる。
【０２５８】
リンク３４１１は回転可能にホルダー３４１２に結合され得る。換言すると、リンク３４１１はケーシング１０の上下方向（Ｎ）に動くことができるようにホルダー３４１２に結合され得る。
【０２５９】
リンク３４１１は個別ドア３２００に設けられる締結溝３４１３に分離可能に結合されるフック３４１１ａを含むことができる。フック３４１１ａはケーシング１０の前後方向（Ｍ）に前方に向かうリンク３４１１の一端部に形成され得る。
【０２６０】
リンク３４１１は押圧部３４１１ｂをさらに含むことができる。押圧部３４１１ｂはケーシング１０の前後方向（Ｍ）に後方に向かうリンク３４１１の他端部に形成され得る。押圧部３４１１ｂは加圧部材３４１７により加圧され得る。
【０２６１】
リンク３４１１はフック３４１１ａおよび押圧部３４１１ｂを連結する連結部３４１１ｃをさらに含むことができる。連結部３４１１ｃには軸貫通孔３４１１ｄが形成され得る。
【０２６２】
拘束ユニット３４１０はホルダー３４１２をさらに含むことができる。
【０２６３】
ホルダー３４１２はドア３１００に固定結合される固定部３４１２ａを含むことができる。固定部３４１２ａおよびドア３１００は固定部材（図示せず）によって結合され得る。固定部３４１２ａは前方に向かうホルダー３４１２の前面３４１２ｃから側方に向かって延長され得る。ホルダー３４１２は支持部３４１２ｂをさらに含むことができる。支持部３４１２ｂはフック３４１１ａとケーシング１０の上下方向（Ｎ）に向き合うようにホルダー３４１２から延長され得る。具体的には、支持部３４１２ｂは前方に向かうホルダー３４１２の前面３４１２ｃから前方に向かって延長され得る。
【０２６４】
ホルダー３４１２はリンク３４１１が挿入されるリンク挿入部３４１２ｄをさらに含むことができる。リンク３４１１がリンク挿入部３４１２ｄに挿入される場合、支持部３４１２ｂおよびリンク３４１１のフック３４１１ａはケーシング１０の上下方向（Ｎ）に互いに向き合うことができる。支持部３４１２ｂおよびリンク３４１１のフック３４１１ａの間には弾性部材３４１４が設けられ得る。弾性部材３４１４は支持部３４１２ｂおよびリンク３４１１のフック３４１１ａのうち少なくとも一つに結合され得る。フック３４１１ａは弾性部材３４１４の復原力によって締結溝３４１３に分離可能に結合され得る。
【０２６５】
ホルダー３４１２は結合溝３４１２ｅをさらに含むことができる。結合溝３４１２ｅは結合フレーム３４１２ｆの内部に形成され得る。結合フレーム３４１２ｆはホルダー３４１２の後面３４１２ｇから後方に向かって突出された形状を有することができる。結合溝３４１２ｅにはリンク３４１１の押圧部３４１１ｂがケーシング１０の上下方向（Ｎ）に回動可能に配置され得る。
【０２６６】
ホルダー３４１２は軸結合ホール３４１２ｈをさらに含むことができる。軸結合ホール３４１２ｈはホルダー３４１２の結合フレーム３４１２ｆに形成され得る。一例として、軸結合ホール３４１２ｈはケーシング１０の上下方向（Ｎ）に結合溝３４１２ｅの下方に位置するように結合フレーム３４１２ｆに形成され得る。
【０２６７】
リンク３４１１はケーシング１０の上下方向（Ｎ）に回動可能にホルダー３４１２に結合され得る。具体的には、リンク３４１１はリンク３４１１およびホルダー３４１２を連結するリンク回転軸３４１５を中心にケーシング１０の上下方向（Ｎ）に沿って回動可能にホルダー３４１２に結合され得る。リンク回転軸３４１５はホルダー３４１２の軸結合ホール３４１２ｈおよびリンク３４１１の軸貫通孔３４１１ｄを貫通してホルダー３４１２およびリンク３４１１を連結する。
【０２６８】
拘束ユニット３４１０は個別ドア３２００に設けられる締結溝３４１３をさらに含むことができる。具体的には、締結溝３４１３は個別ドア３２００に固定される拘束部材３４１６の内部に形成され得る。リンク３４１１のフック３４１１ａは締結溝３４１３に分離可能に結合され得る。
【０２６９】
拘束ユニット３４１０はホルダー３４１２およびリンク３４１１を貫通してホルダー３４１２およびリンク３４１１を連結するリンク回転軸３４１５をさらに含むことができる。リンク３４１１はリンク回転軸３４１５を中心にケーシング１０の上下方向（Ｎ）に沿って動くことができる。
【０２７０】
拘束ユニット３４１０は加圧部材３４１７をさらに含むことができる。
【０２７１】
加圧部材３４１７はケーシング１０の内部に設けられ得る。加圧部材３４１７はケーシング１０の上下方向（Ｎ）に動くことができるようにケーシング１０の内部に設けられ得る。
【０２７２】
加圧部材３４１７は支持フレーム３４１８に形成される加圧部材装着部３４１８ａに位置することができる。加圧部材３４１７は加圧部材装着部３４１８ａにケーシング１０の上下方向（Ｎ）に沿って回動することができるように設置され得る。
【０２７３】
加圧部材３４１７はボディー３４１７ａおよび係止部３４１７ｂを含むことができる。
【０２７４】
係止部３４１７ｂはケーシング１０の前方に向かうようにボディー３４１７ａから延長され得る。係止部３４１７ｂはホルダー３４１２の結合溝３４１２ｅに分離可能に結合され得る。係止部３４１７ｂはホルダー３４１２の結合溝３４１２ｅに締結されるように鉤の形状を有し得るが、係止部３４１７ｂの形状はこれに限定されない。
【０２７５】
加圧部材３４１７は加圧面３４１７ｃをさらに含むことができる。加圧面３４１７ｃはボディー３４１７ａの上面に形成されるが、これに限定されない。加圧面３４１７ｃはプッシュレバー３４２０により選択的に加圧され得る。加圧面３４１７ｃが加圧される場合、係止部３４１７ｂはリンク３４１１の押圧部３４１１ｂを押圧しながらホルダー３４１２の結合溝３４１２ｅに結合され得る。
【０２７６】
加圧部材３４１７のボディー３４１７ａには貫通ホール３４１７ｄが形成され得る。
【０２７７】
拘束ユニット３４１０は支持フレーム３４１８をさらに含むことができる。
【０２７８】
支持フレーム３４１８はケーシング１０の内部に設けられ得る。具体的には、支持フレーム３４１８は前面パネル１１に固定結合され得る。支持フレーム３４１８はケーシング１０の前後方向（Ｍ）にホルダー３４１２およびリンク３４１１の後方に位置することができる。
【０２７９】
支持フレーム３４１８はフレーム固定部３４１８ｂを含むことができる。具体的には、フレーム固定部３４１８ｂは前面パネル１１に固定される第１フレーム固定部３４１８１ｂおよびケーシング１０の上面パネル１２に固定される第２フレーム固定部３４１８２ｂを含むことができる。
【０２８０】
支持フレーム３４１８は支持フレーム３４１８の内部に形成される加圧部材装着部３４１８ａをさらに含むことができる。加圧部材装着部３４１８ａには加圧部材３４１７が回転可能に位置することができる。加圧部材装着部３４１８ａに対応する支持フレーム３４１８の両側面には締結ホール３４１８ｃが形成され得る。締結ホール３４１８ｃおよび加圧部材３４１７の貫通ホール３４１７ｄには加圧部材回転軸３４１９が結合され得る。
【０２８１】
支持フレーム３４１８はプッシュレバー挿入溝３４１８ｄをさらに含むことができる。プッシュレバー挿入溝３４１８ｄはケーシング１０の前後方向（Ｍ）に加圧部材装着部３４１８ａの後方に設けられ得る。プッシュレバー挿入溝３４１８ｄにはプッシュレバー３４２０が貫通可能に結合され得る。プッシュレバー挿入溝３４１８ｄに結合されたプッシュレバー３４２０は加圧部材３４１７の加圧面３４１７ｃを選択的に加圧することができる。
【０２８２】
支持フレーム３４１８はプッシュレバー３４２０の動きをガイドするガイド３４１８ｅ、３４１８ｆをさらに含むことができる。好ましくは、ガイド３４１８ｅ、３４１８ｆはプッシュレバー３４２０の両側に結合されてプッシュレバー３４２０の動きをガイドすることができるように配置される第１ガイド３４１８ｅおよび第２ガイド３４１８ｆを含むことができる。第１ガイド３４１８ｅおよび第２ガイド３４１８ｆは互いに離隔するように支持フレーム３４１８上に配置され得る。プッシュレバー３４２０はガイド３４１８ｅ、３４１８ｆおよびプッシュレバー挿入溝３４１８ｄに拘束された状態でケーシング１０の前後方向（Ｍ）に向かって動くことができる。
【０２８３】
拘束ユニット３４１０は支持フレーム３４１８および加圧部材３４１７を貫通して支持フレーム３４１８および加圧部材３４１７を連結する加圧部材回転軸３４１９をさらに含むことができる。加圧部材３４１７は加圧部材回転軸３４１９を中心にケーシング１０の上下方向（Ｎ）に沿って動くことができる。
【０２８４】
拘束ユニット３４１０はプッシュレバー３４２０をさらに含むことができる。
【０２８５】
プッシュレバー３４２０はケーシング１０の前後方向（Ｍ）にスライディング可能に支持フレーム３４１８に結合され得る。プッシュレバー３４２０は選択的に加圧部材３４１７の加圧面３４１７ｃを加圧できるように支持フレーム３４１８に設けられ得る。プッシュレバー３４２０にはロッド３４４０が結合されるロッド結合部３４２１が形成され得る。したがって、プッシュレバー３４２０はロッド３４４０と一体に動くことができる。
【０２８６】
ロックユニット３４００は駆動ユニット３４３０をさらに含むことができる。すなわち、ロックユニット３４００は電気的駆動を通じて個別ドア３２００をドア３１００と別個にまたは一体に開閉できるように駆動ユニット３４３０をさらに含むことができる。駆動ユニット３４３０はケーシング１０の前後方向（Ｍ）に拘束ユニット３４１０の後方に位置することができる。駆動ユニット３４３０は後面パネル１４上に設置されるが、これに限定されない。
【０２８７】
駆動ユニット３４３０は少なくとも一つのモーター３４３１を含むことができる。少なくとも一つのモーター３４３１はカム３４３２が回転できる駆動力を提供する。少なくとも一つのモーター３４３１はＡＣモーター、ＤＣモーター、ＢＬＤＣモーターなどの多様な種類のモーターを含むことができる。
【０２８８】
駆動ユニット３４３０は回転運動するカム３４３２をさらに含むことができる。カム３４３２は少なくとも一つのモーター３４３１から駆動力の伝達を受けて回転運動することができる。カム３４３２にはケーシング１０の後方に向かうロッド３４４０の一端部が結合されるロッド結合孔３４３３が設けられ得る。カム３４３２は一方向に回転可能に設けられ得るが、これに限定されない。
【０２８９】
駆動ユニット３４３０はカムシャフト３４３４をさらに含むことができる。カムシャフト３４３４はカム３４３２および少なくとも一つのモーター３４３１を連結するようにカム３４３２および少なくとも一つのモーター３４３１の間に位置することができる。カム３４３２はカムシャフト３４３４を中心に回転運動する。
【０２９０】
駆動ユニット３４３０はレバースイッチ３４３５をさらに含むことができる。レバースイッチ３４３５はカム３４３２に隣接するように配置され得る。レバースイッチ３４３５はドア３１００または個別ドア３２００の開放ができる状態であるかの可否を感知する役割をする。すなわち、レバースイッチ３４３５がオン（ｏｎ）であればドア３１００が開放できる状態であることを示す。レバースイッチ３４３５がオフ（ｏｆｆ）であれば個別ドア３２００が開放できる状態であることを示す。
【０２９１】
駆動ユニット３４３０はブラケット３４３６をさらに含むことができる。ブラケット３４３６は少なくとも一つのモーター３４３１およびカム３４３２の間に位置することができる。または、ブラケット３４３６少なくとも一つのモーター３４３１およびレバースイッチ３４３５の間に位置することができる。
【０２９２】
ロックユニット３４００は拘束ユニット３４１０および駆動ユニット３４３０を連結するロッド３４４０をさらに含むことができる。換言すると、ロックユニット３４００は駆動ユニット３４３０の動きを拘束ユニット３４１０に伝達するロッド３４４０をさらに含むことができる。ロッド３４４０は拘束ユニット３４１０および駆動ユニット３４３０にそれぞれ連結され得る。具体的には、ロッド３４４０はプッシュレバー３４２０のロッド結合部３４２１およびカム３４３２のロッド結合孔３４３３にそれぞれ結合され得る。ロッド３４４０はカム３４３２の回転運動を直線運動に変換して拘束ユニット３４１０、すなわち、プッシュレバー３４２０に伝達する。カム３４３２が回転することによってロッド結合孔３４３３がケーシング１０の前方に向かって移動する場合、ロッド３４４０もケーシング１０の前方に向かって動く。このとき、ロッド３４４０と一体に動くプッシュレバー３４２０はケーシング１０の前方に向かってスライディングしながら加圧部材３４１７の加圧面３４１７ｃを加圧する。反対に、カム３４３２が回転することによってロッド結合孔３４３３がケーシング１０の後方に向かって移動する場合、ロッド３４４０もケーシング１０の後方に向かって動く。このとき、ロッド３４４０と一体に動くプッシュレバー３４２０はケーシング１０の後方に向かってスライディングしながら加圧部材３４１７の加圧面３４１７ｃを加圧しない。
【０２９３】
ロックユニット３４００はロッド３４４０に対応するように拘束ユニット３４１０および駆動ユニット３４３０の間に設けられるケース３４５０をさらに含むことができる。ケース３４５０はケーシング１０の上下方向（Ｎ）にロッド３４４０の下方に位置することができる。
【０２９４】
図３２は本開示内容の第５実施例に係るオーブンの第１ドアが開放される場合、ロックユニットの動作状態を図示した図面で、図３３は本開示内容の第５実施例に係るオーブンの第２ドアが開放される場合、ロックユニットの動作状態を図示した図面である。以下、第１ドアは個別ドア３２００と同じ意味で使用され得、第２ドアはドア３１００と同じ意味で使用され得る。以下、図１〜図４と重複する説明は省略する。また、図示されていない図面符号は図１〜図４および図２６〜図３１を参照する。
【０２９５】
図３２に図示された通り、使用者が第１タッチ部３３１０をタッチすると少なくとも一つのモーター３４３１が作動する。少なくとも一つのモーター３４３１が作動することによってカムシャフト３４３４およびカム３４３２は一体に回転する。カム３４３２はレバースイッチ３４３５がオフ（ｏｆｆ）となる時まで回転する。カム３４３２が回転することによってロッド結合孔３４３３がケーシング１０の前方に向かって移動する場合、ロッド３４４０もケーシング１０の前方に向かって動く。このとき、ロッド３４４０と一体に動くプッシュレバー３４２０はケーシング１０の前方に向かってスライディングしながら加圧部材３４１７の加圧面３４１７ｃを加圧する。プッシュレバー３４２０が加圧部材３４１７の加圧面３４１７ｃを加圧すると加圧部材３４１７の係止部３４１７ｂはリンク３４１１の押圧部３４１１ｂを加圧してホルダー３４１２の結合溝３４１２ｅに結合される。このとき、リンク３４１１はリンク回転軸３４１５を中心に回転し、リンク３４１１のフック３４１１ａは拘束部材３４１６の締結溝３４１３から分離される。弾性部材３４１４はリンク３４１１のフック３４１１ａがケーシング１０の上方に向かって回動することによって収縮される。結論的に、加圧部材３４１７の係止部３４１７ｂおよびホルダー３４１２の係止部３４１７ｂの間の結合によってドア３１００はケーシング１０、すなわち、前面パネル１１に拘束される。そして、個別ドア３２００はリンク３４１１のフック３４１１ａが拘束部材３４１６の締結溝３４１３から分離されることによってドア３１００と別個に回動可能な状態となる。
【０２９６】
図３３に図示された通り、使用者が第２タッチ部３３２０をタッチすると少なくとも一つのモーター３４３１が作動する。少なくとも一つのモーター３４３１が作動することによってカムシャフト３４３４およびカム３４３２は一体に回転する。カム３４３２はレバースイッチ３４３５がオン（ｏｎ）となる時まで回転する。カム３４３２が回転することによってロッド結合孔３４３３がケーシング１０の後方に向かって移動する場合、ロッド３４４０もケーシング１０の後方に向かって動く。このとき、ロッド３４４０と一体に動くプッシュレバー３４２０はケーシング１０の後方に向かってスライディングする。すなわち、プッシュレバー３４２０はロッド３４４０と一体にケーシング１０の後方に向かって動いて加圧部材３４１７の加圧面３４１７ｃを加圧しない。加圧部材３４１７は加圧部材装着部３４１８ａに設けられた弾性部材（図示せず）の復原力によってホルダー３４１２の結合溝３４１２ｅから分離される。弾性部材（図示せず）はトーションスプリング（ｔｏｒｓｉｏｎ  ｓｐｒｉｎｇ）を含む。このとき、リンク３４１１のフック３４１１ａは弾性部材３４１４の復原力によって拘束部材３４１６の締結溝３４１３に結合された状態で維持される。結論的に、拘束部材３４１６の締結溝３４１３およびリンク３４１１のフック３４１１ａの間の結合によってドア３１００および個別ドア３２００は互いに拘束される。すなわち、締結溝３４１３およびフック３４１１ａの間の結合によってドア３１００および個別ドア３２００は互いに一体に動くように結合される。そして、個別ドア３２００は加圧部材３４１７の係止部３４１７ｂがホルダー３４１２の結合溝３４１２ｅから分離されることによってケーシング１０、すなわち、前面パネル１１から分離可能な状態となる。ドア３１００が開放される場合、個別ドア３２００はドア３１００と一体に開放され得る。
【０２９７】
図３４は本開示内容の第５実施例に係るオーブンの第１ドアおよび第２ドアの開閉状態を感知するセンサーの位置を表示した図面である。以下、第１ドアは個別ドア３２００と同じ意味で使用され得、第２ドアはドア３１００と同じ意味で使用され得る。以下、図１〜図４と重複する説明は省略する。また、図示されていない図面符号は図２６〜図３１を参照する。
【０２９８】
図３４に図示された通り、オーブン３０００は少なくとも一つのセンサー３５００をさらに含むことができる。少なくとも一つのセンサー３５００はドア３１００の開閉状態を感知する第１センシングセンサー３５１０および個別ドア３２００の開閉状態を感知する第２センシングセンサー３５２０を含むことができる。第１センシングセンサー３５１０および第２センシングセンサー３５２０は前面パネル１１に設けられ得る。具体的には、第１センシングセンサー３５１０はドア３１００と向き合う前面パネル１１上に設けられ得る。第２センシングセンサー３５２０は個別ドア３２００と向き合う前面パネル１１上に設けられ得る。第１センシングセンサー３５１０のオン（ｏｎ）はドア３１００の開放状態を示す。第１センシングセンサー３５１０のオフ（ｏｆｆ）はドア３１００の閉鎖状態を示す。第２センシングセンサー３５２０のオン（ｏｎ）は個別ドア３２００の開放状態を示す。第２センシングセンサー３５２０のオフ（ｏｆｆ）は個別ドア３２００の閉鎖状態を示す。少なくとも一つのセンサー３５００は光学センサーおよび圧力センサーを含むことができるが、少なくとも一つのセンサー３５００の種類はこれに限定されない。少なくとも一つのセンサー３５００の個数および位置はこれに限定されない。一例として、ドア３１００および個別ドア３２００の開閉状態を一つのセンサーが感知することも可能である。
【０２９９】
少なくとも一つのセンサー３５００はレバースイッチ３４３５をさらに含むことができる。レバースイッチ３４３５はカム３４３２に隣接するように配置され得る。レバースイッチ３４３５はドア３１００または個別ドア３２００が開放された状態であるかの可否を感知する役割をする。すなわち、レバースイッチ３４３５がオン（ｏｎ）であればドア３１００が開放された状態であることを示す。レバースイッチ３４３５がオフ（ｏｆｆ）であれば個別ドア３２００が開放された状態であることを示す。
【０３００】
図３５は本開示内容の第５実施例に係るオーブンにおいて、第１ドアまたは第２ドアの開閉を制御する過程を示したフローチャートである。以下、第１ドアは個別ドア３２００と同じ意味で使用され得、第２ドアはドア３１００と同じ意味で使用され得る。また、図示されていない図面符号は図２６〜図３１および図３４を参照する。
【０３０１】
ドア３１００または個別ドア３２００の開放はドア３１００または個別ドア３２００がすべて閉鎖されているという前提のもとで遂行され得る。また、ドア３１００が開放される場合、個別ドア３２００もケーシング１０、すなわち、前面パネル１１から分離されるところ、ドア３１００の開閉状態を感知する第１センシングセンサー３５１０および個別ドア３２００の開閉状態を感知する第２センシングセンサー３５２０はすべてオン（ｏｎ）となり得る。反面、個別ドア３２００はドア３１００と別個に回動できるため、個別ドア３２００だけが開放される場合、ドア３１００の開閉状態を感知する第１センシングセンサー３５１０はオフ（ｏｆｆ）となり、個別ドア３２００の開閉状態を感知する第２センシングセンサー３５２０はオン（ｏｎ）となり得る。
【０３０２】
個別ドア３２００をオープンする過程は次のとおりである。
【０３０３】
図３５に図示された通り、オーブン３０００の電源を入れるとレバースイッチ３４３５はドア３１００または個別ドア３２００が開放された状態であるかの可否を感知する。レバースイッチ３４３５がオン（ｏｎ）であればドア３１００が開放された状態であるため、ドア３１００の開放命令を入力する第１タッチ部３３１０点滅する。このとき、個別ドア３２００は閉鎖状態であるため、個別ドア３２００の開放命令を入力する第２タッチ部３３２０は点滅しない。第２タッチ部３３２０は個別ドア３２００を開放させるために使用者によってタッチされ得る。このとき、ドア３１００の開閉状態を感知する第１センシングセンサー３５１０および個別ドア３２００の開閉状態を感知する第２センシングセンサー３５２０がすべてオフ（ｏｆｆ）であれば少なくとも一つのモーター３４３１に電源が印加される。換言すると、第１センシングセンサー３５１０および第２センシングセンサー３５２０がすべてオフ（ｏｆｆ）であればドア３１００および個別ドア３２００がすべて閉鎖状態であるため、個別ドア３２００をオープンできる前提が満たされる。反面、第１センシングセンサー３５１０または第２センシングセンサー３５２０がオン（ｏｎ）であれば依然としてドア３１００が開放状態であるため、ドア３１００の開放命令を入力する第１タッチ部３３１０が引き続き点滅する。第１タッチ部３３１０の点滅はドア３１００が閉鎖された場合に止まる。個別ドア３２００をオープンできる前提が満たされるとレバースイッチ３４３５がオフ（ｏｆｆ）となり、少なくとも一つのモーター３４３１は動作を止める。このとき、使用者はハンドル９を引っ張って個別ドア３２００をオープンすることができる。
【０３０４】
ドア３１００をオープンする過程は次のとおりである。
【０３０５】
図３５に図示された通り、オーブン３０００の電源をいれるとレバースイッチ３４３５はドア３１００または個別ドア３２００が開放された状態であるかの可否を感知する。レバースイッチ３４３５がオフ（ｏｆｆ）であれば個別ドア３２００が開放された状態であるため、個別ドア３２００の開放命令を入力する第２タッチ部３３２０は点滅する。このとき、ドア３１００は閉鎖状態であるため、ドア３１００の開放命令を入力する第１タッチ部３３１０は点滅しない。第１タッチ部３３１０はドア３１００を開放させるために使用者によってタッチされ得る。このとき、個別ドア３２００の開閉状態を感知する第２センシングセンサー３５２０およびドア３１００の開閉状態を感知する第１センシングセンサー３５１０がすべてオフ（ｏｆｆ）であれば少なくとも一つのモーター３４３１に電源が印加される。換言すると、第２センシングセンサー３５２０および第１センシングセンサー３５１０がすべてオフ（ｏｆｆ）であればドア３１００および個別ドア３２００がすべて閉鎖状態であるため、ドア３１００をオープンできる前提が満たされる。反面、第２センシングセンサー３５２０または第１センシングセンサー３５１０がオン（ｏｎ）であれば依然として個別ドア３２００が開放状態であるため、個別ドア３２００の開放命令を入力する第２タッチ部３３２０が引き続き点滅する。第２タッチ部３３２０の点滅は個別ドア３２００が閉鎖された場合に止まる。ドア３１００をオープンできる前提が満たされるとレバースイッチ３４３５がオン（ｏｎ）となり、少なくとも一つのモーター３４３１は動作を止める。このとき、使用者はハンドル９を引っ張ってドア３１００をオープンすることができる。
【０３０６】
図３６は本開示内容の一実施例に係るオーブンの第１ドアおよび第２ドアが適用された食器洗浄器を図示した図面である。以下、第１ドアは個別ドア４２００と同じ意味で使用され得、第２ドアはドア４１００と同じ意味で使用され得る。
【０３０７】
図３６に図示された通り、ドア４１００および個別ドア４２００の構造はオーブン１、１０００、２０００、３０００だけでなく食器洗浄器４０００にも適用可能である。ドア４１００および個別ドア４２００は食器洗浄器４０００の外観を形成するケーシング４００１の前方に設けられ得る。具体的には、ドア４１００は食器洗浄器４０００のケーシング４００１に回動可能に配置され得、個別ドア４２００はドア４１００に回動可能に配置され得る。食器洗浄器４０００に適用可能なドア４１００および個別ドア４２００の構造はオーブン１、１０００、２０００、３０００に適用されたものと同一であるため、詳細な説明は省略する。
【０３０８】
以上では本開示内容の多様な実施例に対して図示して説明した。しかし、前記した実施例にのみ限定されず、発明が属する技術分野で通常の知識を有した者であれば以下の特許請求の範囲とその均等物によって定義される通り、本開示内容の技術的思想の要旨を逸脱することなくいくらでも多様に変更実施することができることを理解し認識できるであろう。
【符号の説明】
【０３０９】
１、１０００、２０００、３０００：  オーブン
９：        ハンドル
１０：      ケーシング
１１：      前面パネル
１２：      上面パネル
１３：      側面パネル
１４：      後面パネル
１５：      下面パネル
１６：      調理室
１６ａ：    第１調理室
１６ｂ：    第２調理室
１７：      ディスプレイ
１８：      操作部
１９：      支持台
２０：      ラック
２１：      コントロールパネル
２３：      ディバイダー
３０：      循環ファンユニット
３０ａ：    第１循環ファンユニット
３１：      通孔部
３２：      循環ファンカバー
３３：      循環モーター
３４：      循環ファン
３４ａ：    第１循環ファン
３４ｂ：    第２循環ファン
４１：      流入ホール
４２：      流入モーター
４３：      流入ファンハウジング
４４：      流入ファン
４５：      ガイドブラケット
５０：      冷却ファンユニット
６０：      電装室
６２：      遮蔽フレーム
７１：      第１断熱材
７２：      第２断熱材
１１０、１１１０：  開口部
１２０：    フレーム
１２１：    上面フレーム
１２２：    側面フレーム
１２３：    下面フレーム
１２４：    締結溝
１２５：    固定溝
１３０：    装着部
１４０：    第１部分
１５０：    第２部分
１６０：    ドアヒンジ
１６１：    第１ドアヒンジ
１６２：    第２ドアヒンジ
３００：    操作ユニット
３１０：    ボディー
３２０：    移動部
３３０：    把持部
４１０：    第１ロッキングユニット
４１１：    支持部
４１２：    ロッキング部
４２０：    第２ロッキングユニット
４２１：    結合部
４２２：    係止部
４２３：    連結部
４３０：    弾性部材
９ａ：      ガイド
５１：      前方流路
１２５ａ：  係止段
１１１１：  第１開口部
１１１２：  第２開口部
１３００：  フレーム
１３０１：  第１フレーム
１３０２：  第２フレーム
１３０３：  第３フレーム
１３０３ａ：上面
１３０３ｂ：右側面
１３０３ｃ：左側面
１３０４：  折り曲げ部
１３０５：  インナーフレーム
１３０５ａ：開口
１３０５ｂ：固定ホール
１３０６：  ドアパネル
１３０７、１３０７ａ：  透視窓
１３１０、１３１０ａ：  連結部材
１３２０、１３２０ａ：  締結ホール
１３３０、１３３０ａ：  断熱グラス
１３３１、１３３１ａ：  第１断熱グラス
１３３１ｃ：透明部
１３３１ｂ：不透明部
１３３２、１３３２ａ：  第２断熱グラス
１３３３、１３３３ａ：  第３断熱グラス
１３４０：  第１グラスホルダー
１３５０：  第２グラスホルダー
１３６０、１３６０ａ：  断熱グラス収容空間
１４００：  パネル
１４１０：  フロントパネル
１４２０：  リアパネル
１４２１：  第１開放部
１４３０：  インナーパネル
１４３０ａ：固定部
１４３１：  第２開放部
１４４０：  第１ホルダー
１４５０：  第２ホルダー
１５００：  操作ユニット
１５１０：  ケース
１５１１：  第１ケース
１５１２：  第２ケース
１５１３：  押圧部材収容部
１５１４：  加圧部材収容部
１５１５：  切開部
１５２０：  押圧部材
１５３０：  加圧部材
１５４０：  回転軸
１５５０：  弾性体
１６００：  ロックユニット
１６１０：  前方リンク
１６１１：  ボディー
１６１２：  ガイド面
１６１２ａ：第１部分
１６１２ｂ：第２部分
１６１３：  ヘッド
１６１４：  軸貫通ホール
１６１５：  係止部
１６２０：  前方ホルダー
１６２０ａ：前面
１６２１：  第１固定部
１６２２：  第１支持部
１６２３：  前方リンク挿入部
１６２４：  第１弾性部材
１６２５：  前方軸結合ホール
１６２６：  突出部
１６３０：  前方回転軸
１６４０：  支持部材
１６４１：  挿入ホール
１６５０：  後方リンク
１６５１：  フック
１６５２：  押圧部
１６５３：  連結部
１６５４：  軸貫通孔
１６６０：  後方ホルダー
１６６０ａ：前面
１６６１：  第２固定部
１６６２：  第２支持部
１６６３：  後方リンク挿入部
１６６４：  第２弾性部材
１６６５：  結合溝
１６６６：  結合フレーム
１６６７：  後方軸結合ホール
１６７０：  後方回転軸
１６８０：  拘束部材
１６８１：  締結溝
２３００：  操作ユニット
２３１０：  レバー
２３２０：  連結部材
２３３０：  ロッド
２３３１：  第１端部
２３３２：  第２端部
２３３３：  連結部材結合孔
２３４０：  ローラ
２３４１：  第１ローラ
２３４１ａ：軸（第１ローラ）
２３４２：  第２ローラ
２３４２ａ：軸（第２ローラ）
２３４３：  第３ローラ
２３４３ａ：軸（第３ローラ）
２４００：  拘束ユニット
２４１０：  支持フレーム
２４１０ａ：底面
２４１０ｂ：支持面
２４１０ｃ：連結面
２４１１：  レール部
２４１２：  挿入ホール
２４２０：  リンク
２４２１：  フック
２４２２：  押圧部
２４２３：  連結部
２４２４：  軸貫通孔
２４３０：  ホルダー
２４３１：  固定部
２４３２：  前面
２４３３：  支持部
２４３４：  リンク挿入部
２４３５：  結合溝
２４３６：  結合フレーム
２４３７：  軸結合ホール
２４４０：  拘束部材
２４４１：  締結溝
２４５０：  加圧部材
２４５１：  枠
２４５１ａ：中空部
２４５２：  第１壁
２４５３：  第２壁
２４５３ａ：移動ガイド
２４５４：  第１レッグ
２４５５：  第２レッグ
２４５６：  係止部
２４５７：  第３壁
２４５８：  第４壁
２４５９：  プッシュ部
２５００：  ガイドレール
２４６０：  第１弾性部材
２４７０：  第２弾性部材
２４８０：  回転軸
２４９０：  支持部材
２４９１：  挿入具
３３００：  タッチ部
３３１０：  第１タッチ部
３３２０：  第２タッチ部
３４００：  ロックユニット
３４１０：  拘束ユニット
３４１１：  リンク
３４１１ａ：フック
３４１１ｂ：押圧部
３４１１ｃ：連結部
３４１１ｄ：軸貫通孔
３４１２：  ホルダー
３４１２ａ：固定部
３４１２ｂ：支持部
３４１２ｃ：前面
３４１２ｄ：リンク挿入部
３４１２ｅ：結合溝
３４１２ｆ：結合フレーム
３４１２ｇ：後面
３４１２ｈ：軸結合ホール
３４１３：  締結溝
３４１４：  弾性部材
３４１５：  リンク回転軸
３４１６：  拘束部材
３４１７：  加圧部材
３４１７ａ：ボディー
３４１７ｂ：係止部
３４１７ｃ：加圧面
３４１７ｄ：貫通ホール
３４１８：  支持フレーム
３４１８ａ：加圧部材装着部
３４１８ｂ：フレーム固定部
３４１８１ｂ：第１フレーム固定部
３４１８２ｂ：第２フレーム固定部
３４１８ｃ：締結ホール
３４１８ｄ：プッシュレバー挿入溝
３４１８ｅ：第１ガイド
３４１８ｆ：第２ガイド
３４１９：  加圧部材回転軸
３４２０：  プッシュレバー
３４２１：  ロッド結合部
３４３０：  駆動ユニット
３４３１：  モーター
３４３２：  カム
３４３３：  ロッド結合孔
３４３４：  カムシャフト
３４３５：  レバースイッチ
３４３６：  ブラケット
３４４０：  ロッド
３４５０：  ケース
３５００：  センサー
３５１０：  第１センシングセンサー
３５２０：  第２センシングセンサー
４０００：  食器洗浄器
４００１：  ケーシング
１００、１１００、２１００、３１００、４１００：ドア
２００、１２００、２２００、３２００、４２００：個別ドア
【図１】
0006636958.tif 000002
【図２】
0006636958.tif 000003
【図３】
0006636958.tif 000004
【図４】
0006636958.tif 000005
【図５】
0006636958.tif 000006
【図６】
0006636958.tif 000007
【図７】
0006636958.tif 000008
【図８】
0006636958.tif 000009
【図９】
0006636958.tif 000010
【図１０】
0006636958.tif 000011
【図１１】
0006636958.tif 000012
【図１２】
0006636958.tif 000013
【図１３】
0006636958.tif 000014
【図１４】
0006636958.tif 000015
【図１５】
0006636958.tif 000016
【図１６】
0006636958.tif 000017
【図１７】
0006636958.tif 000018
【図１８】
0006636958.tif 000019
【図１９】
0006636958.tif 000020
【図２０】
0006636958.tif 000021
【図２１】
0006636958.tif 000022
【図２２】
0006636958.tif 000023
【図２３】
0006636958.tif 000024
【図２４ａ】
0006636958.tif 000025
【図２４ｂ】
0006636958.tif 000026
【図２５ａ】
0006636958.tif 000027
【図２５ｂ】
0006636958.tif 000028
【図２６】
0006636958.tif 000029
【図２７】
0006636958.tif 000030
【図２８】
0006636958.tif 000031
【図２９】
0006636958.tif 000032
【図３０】
0006636958.tif 000033
【図３１】
0006636958.tif 000034
【図３２】
0006636958.tif 000035
【図３３】
0006636958.tif 000036
【図３４】
0006636958.tif 000037
【図３５】
0006636958.tif 000038
【図３６】
0006636958.tif 000039